(57)【要約】  本発明は、拡張アップリンク（ＵＬ）通信システムにおける使用権違反の検知のための方法に関する。上記方法によれば、無線ネットワークコントローラ（ＲＮＣ）（１２）は、第１のユーザ端末ＵＥから少なくとも第１の基地局（１１）へのあるデータレートを伴うアップリンクデータトラフィックを可能とする第１の拡張ＵＬ転送チャネル（Ｅ−ＤＣＨ）を確立する。少なくとも第１のダウンリンク送信は、第１のＥ−ＤＣＨを含んで上記ユーザ端末ＵＥに対して実行される。ノードＢ  ＮＢは、上記第１のユーザ端末ＵＥが伝送を行うスケジューリング対象のデータレートを検出し、検出される当該スケジューリング対象のデータレートが第１のＥ−ＤＣＨチャネルのスケジューリング対象の使用権により定義される最大データレートよりも高い場合には、さらに制御を行う（２）。その場合、上記ノードＢ（ＮＢ）は、第１のＥ−ＤＣＨチャネルのスケジューリング対象の使用権を含む少なくとも第２の後続のダウンリンク送信を実行する（４）。【選択図】図１
2011501910.tif 000002
【特許請求の範囲】
【請求項１】
少なくとも１つの第１のユーザ端末（ＵＥ）との間の無線通信を可能とするための少なくとも１つの第１の基地局（１１）を備える拡張アップリンク（ＵＬ）通信システムにおける使用権違反の検知のための方法であって、
少なくとも１つの第１の無線ネットワークコントローラ（ＲＮＣ）（１２）は、前記第１のユーザ端末（ＵＥ）から少なくとも前記第１の基地局（１１）へのあるデータレートを伴うアップリンクデータトラフィックを可能とする少なくとも第１の拡張ＵＬ転送チャネル（Ｅ−ＤＣＨ）を確立し、前記第１のＥ−ＤＣＨは、少なくとも１つの無線アクセスベアラ（ＲＡＢ）についてのデータを搬送し、
実行される少なくとも第１のダウンリンク送信は、前記第１のユーザ端末（ＵＥ）に許可される第１のＥ−ＤＣＨチャネルのスケジューリング対象の使用権を含み、前記スケジューリング対象の使用権は、前記第１のＥ−ＤＣＨを介する前記アップリンクデータトラフィックについての最大データレート限度を定義し、
前記第１のユーザ端末（ＵＥ）は、受信される前記第１のＥ−ＤＣＨチャネルのスケジューリング対象の使用権から、前記第１のＥ−ＤＣＨを介する前記アップリンクデータトラフィックについてのスケジューリング対象のデータレートを算出し、
前記第１のユーザ端末（ＵＥ）は、算出された前記スケジューリング対象のデータレートで前記第１のＥ−ＤＣＨ上の前記アップリンクデータトラフィックを送信し、
ノードＢ（ＮＢ）は、前記第１のユーザ端末（ＵＥ）が伝送を行う前記スケジューリング対象のデータレートを検出し（１Ｂ）、
前記ノードＢ（ＮＢ）は、検出される前記スケジューリング対象のデータレートが前記第１のＥ−ＤＣＨチャネルのスケジューリング対象の使用権により定義される前記最大データレートよりも高い場合には、さらに制御を行い（２）、
検出される前記スケジューリング対象のデータレートが前記最大データレートよりも高い場合には（３）、前記ノードＢ（ＮＢ）は、前記第１のＥ−ＤＣＨチャネルのスケジューリング対象の使用権を含む少なくとも第２の後続のダウンリンク送信を実行する（４）、
ことを特徴とする、方法。
【請求項２】
前記第１のＲＮＣ（１２）は、第２のユーザ端末から前記第１の基地局（１１）又は第２の基地局へのあるデータレートを伴うアップリンクデータトラフィックを可能とする少なくとも１つの第２のＥ−ＤＣＨを確立する、請求項１に記載の方法。
【請求項３】
前記ノードＢ（ＮＢ）は、前記第２のユーザ端末に許可される第２のＥ−ＤＣＨチャネルのスケジューリング対象の使用権を含む第１の送信（１Ａ）を実行し、前記スケジューリング対象の使用権は、前記第２のＥ−ＤＣＨを介する前記アップリンクデータトラフィックについての最大データレート限度を定義する、請求項２に記載の方法。
【請求項４】
前記Ｅ−ＤＣＨ転送チャネルは、Ｅ−ＤＣＨ専用物理チャネル（Ｅ−ＤＰＤＣＨ）によりマッピングされる、先行する請求項のいずれかに記載の方法。
【請求項５】
前記ノードＢ（ＮＢ）は、前記第１のＥ−ＤＣＨ上の前記スケジューリング対象のデータレートを、前記アップリンクデータトラフィックのデータフレームを復号することにより検出する、請求項４に記載の方法。
【請求項６】
前記ノードＢ（ＮＢ）は、前記Ｅ−ＤＣＨ上の前記アップリンクデータトラフィックの前記スケジューリング対象のデータレートを、前記Ｅ−ＤＰＤＣＨ及び／又はＥ−ＤＣＨ転送フォーマットコンビネーション識別子（Ｅ−ＴＦＣＩ）を復号することにより検出し、Ｅ−ＤＰＤＣＨ及びＥ−ＴＦＣＩの１つ又は双方は、実効データレートを導くために使用される、請求項４〜５のいずれかに記載の方法。
【請求項７】
前記第２の後続の送信後に、前記スケジューリング対象のデータレートが前記最大データレートよりも高い（３，Ｙｅｓ）場合には、前記ノードＢ（ＮＢ）は、前記第１のＥ−ＤＣＨチャネルのスケジューリング対象の使用権を含む少なくとも第３の後続のダウンリンク送信を実行する（４）、先行する請求項のいずれかに記載の方法。
【請求項８】
前記第３の後続のダウンリンク送信の後、検出される前記スケジューリング対象のデータレートが前記最大データレート以下となるまで、前記第１のＥ−ＤＣＨチャネルのスケジューリング対象の使用権を含む少なくとも１つのさらなる後続のダウンリンク送信が続いて行われる（４）、請求項７に記載の方法。
【請求項９】
前記第３の後続のダウンリンク送信の後、後続のダウンリンク送信の回数が予め定義される値に到達するまで、少なくとも１つのさらなる後続のダウンリンク送信が続いて行われる（４）、請求項７〜８のいずれかに記載の方法。
【請求項１０】
前記後続のダウンリンク送信は、前回の前記送信と等しく又は当該送信を上回る電力レベル（ｘ１，ｘ２，ｘ３…ｘｎ）で前記ノードＢ（ＮＢ）により行われる、請求項１に記載の方法。
【請求項１１】
前記ダウンリンク送信の後、前記電力レベルが閾値に到達するまで、前記第１のＥ−ＤＣＨチャネルのスケジューリング対象の使用権を含む少なくとも１つのさらなる後続のダウンリンク送信が続いて行われる（４（ｘ１），４（ｘ２）、請求項１０に記載の方法。
【請求項１２】
ノードＢ（ＮＢ）は、ダウンリンク送信の実行（１Ａ，４）後のある期間待機し（Ｂ）、当該期間の後、検出される前記スケジューリング対象のデータレートが前記第１のＥ−ＤＣＨチャネルのスケジューリング対象の使用権により定義される前記最大データレートよりも高い場合には、前記ノードＢ（ＮＢ）は、さらに制御を行う（２）、先行する請求項のいずれかに記載の方法。
【請求項１３】
予め定義される回数の後続のダウンリンク送信の後の、又は送信される前記電力レベルが閾値に到達した後の前記スケジューリング対象のデータレートが前記第１のＥ−ＤＣＨチャネルのスケジューリング対象の使用権により定義される前記最大データレートよりも依然として高い（５，Ｙｅｓ）場合には、前記ノードＢ（ＮＢ）は、前記第１のＲＮＣ（１２）への失敗標識の送信又は無線リンク再構成提案の送信を開始する（６）、先行する請求項のいずれかに記載の方法。
【請求項１４】
前記第１のＲＮＣ（１２）は：
前記失敗標識（６ａ（１））又は前記無線リンク再構成提案（６ｄ（１））を受信した場合に、前記第１のＥ−ＤＣＨから第１の専用チャネル（ＤＣＨ）へ前記少なくとも１つのＲＡＢを再構成することを決定し、
前記第１のＲＮＣ（１２）は、前記第１のＥ−ＤＣＨから前記第１のＤＣＨへの切り替えの指示を伴う再構成制御信号を、前記ノードＢ（ＮＢ）（６ａ（３），６ｄ（３））及び前記ユーザ端末（ＵＥ）（６ａ（２），６ｄ（２））へ少なくとも送信することにより、再構成を行う、
請求項１３に記載の方法。
【請求項１５】
前記第１のＲＮＣ（１２）は：
前記失敗標識を受信した場合（６ｂ（１））に、前記第１のＥ−ＤＣＨから第１の転送アクセスチャネル（ＦＡＣＨ）へ前記少なくとも１つのＲＡＢを再構成することを決定し、
前記第１のＲＮＣ（１２）は、前記第１のＥ−ＤＣＨから前記第１のＦＡＣＨへの切り替えの指示を伴う再構成制御信号を、前記ノードＢ（ＮＢ）（６ｂ（３））及び前記ユーザ端末（ＵＥ）（６ｂ（２））へ少なくとも送信することにより、再構成を行う、
請求項１３に記載の方法。
【請求項１６】
前記第１のＲＮＣ（１２）は、前記失敗標識を受信した場合（６ｃ（１））に、前記第１のＥ−ＤＣＨを解放することを決定し、
前記第１のＲＮＣ（１２）は、前記第１のＥ−ＤＣＨの解放の指示を伴う解放制御信号を、前記ノードＢ（ＮＢ）（６ｃ（３））及び前記ユーザ端末（ＵＥ）（６ｃ（２））へ少なくとも送信することにより、解放を行う、
請求項１３に記載の方法。
【請求項１７】
前記Ｅ−ＤＣＨチャネルの使用権は、拡張絶対的使用権チャネル（Ｅ−ＡＧＣＨ）及び拡張相対的使用権チャネル（Ｅ−ＲＧＣＨ）という少なくとも２つの物理チャネルに対応する、先行する請求項のいずれかに記載の方法。
【請求項１８】
前記Ｅ−ＡＧＣＨは、前記第１の基地局により生成されるサービングセルを介して伝送され、前記Ｅ−ＡＧＣＨは、前記サービングセル又は少なくとも第２の基地局により生成される少なくとも１つの非サービングセルを介して伝送される、請求項１７に記載の方法。
【請求項１９】
前記第１のＲＮＣ（１２）は、前記第１のＥ−ＤＣＨの確立の前に、ＲＬセットアップ又は再構成の間、前記第１のユーザ端末（ＵＥ）に許可される前記第１のＥ−ＤＣＨチャネルのスケジューリング対象の使用権を含む第１のダウンリンク送信をさらに実行する、先行する請求項のいずれかに記載の方法。
【請求項２０】
前記ノードＢ（ＮＢ）は、拡張ＵＬスケジューラ（ＥＵＬ−Ｓ）を備え、前記第１のユーザ端末（ＵＥ）に許可される前記第１のＥ−ＤＣＨチャネルのスケジューリング対象の使用権を含む第１のダウンリンク送信を実行する（１Ａ）、先行する請求項のいずれかに記載の方法。
【請求項２１】
少なくとも１つの第１のユーザ端末（ＵＥ）との間の無線通信を可能とするための少なくとも１つの第１の基地局（１１）を備える拡張ＵＬ通信システムにおける使用権違反の検知のために適合されるノードＢ（ＮＢ）であって、
前記第１のユーザ端末（ＵＥ）から少なくとも前記第１の基地局（１１）へのあるデータレートを伴うアップリンクデータトラフィックを可能とする少なくとも第１の拡張ＵＬ転送チャネル（Ｅ−ＤＣＨ）が確立され、前記第１のＥ−ＤＣＨは、少なくとも１つの無線アクセスベアラ（ＲＡＢ）についてのデータを搬送し、
実行される少なくとも第１のダウンリンク送信は、前記第１のユーザ端末（ＵＥ）に許可される第１のＥ−ＤＣＨチャネルのスケジューリング対象の使用権を含み、前記スケジューリング対象の使用権は、前記第１のＥ−ＤＣＨを介する前記アップリンクデータトラフィックについての最大データレート限度を定義し、
前記ノードＢ（ＮＢ）は、前記第１のユーザ端末（ＵＥ）が前記第１のＥ−ＤＣＨ上でアップリンクデータトラフィックを送信する前記スケジューリング対象のデータレートを検出する（１Ｂ）ようにさらに適合され、
前記ノードＢ（ＮＢ）は、検出される前記スケジューリング対象のデータレートが前記第１のＥ−ＤＣＨチャネルのスケジューリング対象の使用権により定義される前記最大データレートよりも高い場合に、制御を行う（２）ようにさらに適合され、
検出される前記スケジューリング対象のデータレートが前記最大データレートよりも高い場合には（３）、前記ノードＢ（ＮＢ）は、前記第１のＥ−ＤＣＨチャネルのスケジューリング対象の使用権を含む少なくとも第２の後続のダウンリンク送信を実行する（４）ようにさらに適合される、
ことを特徴とする、ノードＢ（ＮＢ）。
【請求項２２】
前記第２の後続の送信後に、前記スケジューリング対象のデータレートが前記最大データレートよりも高い（３，Ｙｅｓ）場合には、前記ノードＢ（ＮＢ）は、前記第１のＥ−ＤＣＨチャネルのスケジューリング対象の使用権を含む少なくとも第３の後続のダウンリンク送信を実行する（４）ようにさらに適合される、請求項２１に記載のノードＢ（ＮＢ）。
【請求項２３】
前記ノードＢ（ＮＢ）は、前回の前記送信と等しく又は当該送信を上回る電力レベル（ｘ１，ｘ２，ｘ３…ｘｎ）で前記後続のダウンリンク送信を行うようにさらに適合される、請求項２１〜２２のいずれかに記載のノードＢ（ＮＢ）。
【請求項２４】
ノードＢ（ＮＢ）は、ダウンリンク送信の実行（１Ａ，４）後のある期間待機し（Ｂ）、当該期間の後、検出される前記スケジューリング対象のデータレートが前記第１のＥ−ＤＣＨチャネルのスケジューリング対象の使用権により定義される前記最大データレートよりも高い場合には、前記ノードＢ（ＮＢ）は、さらに制御を行う（２）ようにさらに適合される、請求項２１〜２３のいずれかに記載のノードＢ（ＮＢ）。
【請求項２５】
予め定義される回数の後続のダウンリンク送信の後の、又は送信される前記電力レベルが閾値に到達した後の前記スケジューリング対象のデータレートが前記第１のＥ−ＤＣＨチャネルのスケジューリング対象の使用権により定義される前記最大データレートよりも依然として高い（５，Ｙｅｓ）場合には、前記ノードＢ（ＮＢ）は、第１の無線ネットワークコントローラ（ＲＮＣ）（１２）への失敗標識の送信又は無線リンク再構成提案の送信を開始する（６）ようにさらに適合される、請求項２１〜２４のいずれかに記載のノードＢ（ＮＢ）。
【請求項２６】
前記第１のＥ−ＤＣＨチャネルのスケジューリング対象の使用権は、前記第１のＥ−ＤＣＨの確立の前において、ＲＬセットアップ又は再構成の間に前記第１のユーザ端末（ＵＥ）に送信される第１のダウンリンク送信信号内に含まれる、請求項２１〜２５のいずれかに記載のノードＢ（ＮＢ）。
【請求項２７】
前記ノードＢ（ＮＢ）は、拡張ＵＬスケジューラ（ＥＵＬ−Ｓ）を備え、前記第１のユーザ端末（ＵＥ）に許可される前記第１のＥ−ＤＣＨチャネルのスケジューリング対象の使用権を含む第１のダウンリンク送信を実行する（１Ａ）ようにさらに適合される、請求項２１〜２６のいずれかに記載のノードＢ（ＮＢ）。
【請求項２８】
使用権違反の検知のためのために適合される拡張ＵＬ通信システムにおける第１の無線ネットワークコントローラ（ＲＮＣ）（１２）であって、
前記システムは、少なくとも１つの第１のユーザ端末（ＵＥ）との間の無線通信を可能とするための少なくとも１つの第１の基地局（１１）をさらに備え、
少なくとも１つの前記第１のＲＮＣ（１２）は、前記第１のユーザ端末（ＵＥ）から少なくとも前記第１の基地局（１１）へのあるデータレートを伴うアップリンクデータトラフィックを可能とする少なくとも第１の拡張ＵＬ転送チャネル（Ｅ−ＤＣＨ）を確立するために構成され、前記第１のＥ−ＤＣＨは、少なくとも１つの無線アクセスベアラ（ＲＡＢ）についてのデータを搬送し、
実行される少なくとも第１のダウンリンク送信は、前記第１のユーザ端末（ＵＥ）に許可される第１のＥ−ＤＣＨチャネルのスケジューリング対象の使用権を含み、前記スケジューリング対象の使用権は、前記第１のＥ−ＤＣＨを介する前記アップリンクデータトラフィックについての最大データレート限度を定義し、
前記第１のＲＮＣ（１２）は、ノードＢ（ＮＢ）による開始後に前記第１のＲＮＣ（１２）へ送信（６ａ（１），６ｂ（１），６ｃ（１），６ｄ（１））される失敗標識又は無線リンク再構成提案を受信するようにさらに適合される、
ことを特徴とする、第１の無線ネットワークコントローラ（ＲＮＣ）（１２）。
【請求項２９】
前記第１のＲＮＣ（１２）は、前記第１（１）又は第２のユーザ端末から前記第１の基地局（１１）又は第２の基地局へのあるデータレートを伴うアップリンクデータトラフィックを可能とする少なくとも１つの第２のＥ−ＤＣＨの確立のために適合される、請求項２８に記載の第１のＲＮＣ（１２）。
【請求項３０】
前記第１のＲＮＣ（１２）は、前記失敗標識（６ａ（１））又は前記無線リンク再構成提案（６ｄ（１））を受信した場合に、前記第１のＥ−ＤＣＨから第１の専用チャネル（ＤＣＨ）へ前記少なくとも１つのＲＡＢを再構成することを決定するようにさらに適合され、
前記第１のＲＮＣ（１２）は、前記第１のＥ−ＤＣＨから前記第１のＤＣＨへの切り替えの指示を伴う再構成制御信号を、前記ノードＢ（ＮＢ）（６ａ（３），６ｄ（３））及び前記ユーザ端末（ＵＥ）（６ａ（２），６ｄ（２））へ少なくとも送信することにより、再構成を行う、
請求項２８〜２９のいずれかに記載の第１のＲＮＣ（１２）。
【請求項３１】
前記第１のＲＮＣ（１２）は、前記失敗標識を受信した場合（６ｂ（１））に、前記第１のＥ−ＤＣＨから第１の転送アクセスチャネル（ＦＡＣＨ）へ前記少なくとも１つのＲＡＢを再構成することを決定するようにさらに適合され、
前記第１のＲＮＣ（１２）は、前記第１のＥ−ＤＣＨから前記第１のＦＡＣＨへの切り替えの指示を伴う再構成制御信号を、前記ノードＢ（ＮＢ）（６ｂ（３））及び前記ユーザ端末（ＵＥ）（６ｂ（２））へ少なくとも送信することにより、再構成を行う、
請求項２８〜２９のいずれかに記載の第１のＲＮＣ（１２）。
【請求項３２】
前記第１のＲＮＣ（１２）は、前記失敗標識を受信した場合（６ｃ（１））に、前記第１のＥ−ＤＣＨを解放することを決定するようにさらに適合され、
前記第１のＲＮＣ（１２）は、前記第１のＥ−ＤＣＨの解放の指示を伴う解放制御信号を、前記ノードＢ（ＮＢ）（６ｃ（３））及び前記ユーザ端末（ＵＥ）（６ｃ（２））へ少なくとも送信することにより、解放を行う、
請求項２８〜２９のいずれかに記載の第１のＲＮＣ（１２）。
【請求項３３】
前記第１のＲＮＣ（１２）は、前記第１のＥ−ＤＣＨの確立の前に、ＲＬセットアップ又は再構成の間、前記第１のユーザ端末（ＵＥ）に許可される前記第１のＥ−ＤＣＨチャネルのスケジューリング対象の使用権を含む第１のダウンリンク送信を実行するようにさらに適合される、請求項２８〜３２のいずれかに記載の第１のＲＮＣ（１２）。
【請求項３４】
使用権違反の検知のためのために適合される拡張アップリンク通信システムであって、前記システムは、少なくとも１つの第１のユーザ端末（ＵＥ）との間の無線通信を可能とするための少なくとも１つの第１の基地局（１１）を含み、
前記システムは、前記第１のユーザ端末（ＵＥ）から少なくとも前記第１の基地局（１１）へのあるデータレートを伴うアップリンクデータトラフィックを可能とする少なくとも第１の拡張ＵＬ転送チャネル（Ｅ−ＤＣＨ）を確立するように適合される少なくとも１つの第１の無線ネットワークコントローラ（ＲＮＣ）（１２）、をさらに含み、
前記第１のＥ−ＤＣＨは、少なくとも１つの無線アクセスベアラ（ＲＡＢ）についてのデータを搬送し、
実行される少なくとも第１のダウンリンク送信は、前記第１のユーザ端末（ＵＥ）に許可される第１のＥ−ＤＣＨチャネルのスケジューリング対象の使用権を含み、前記スケジューリング対象の使用権は、前記第１のＥ−ＤＣＨを介する前記アップリンクデータトラフィックについての最大データレート限度を定義し、
前記第１のユーザ端末（ＵＥ）は、受信される前記第１のＥ−ＤＣＨチャネルのスケジューリング対象の使用権から、前記第１のＥ−ＤＣＨを介する前記アップリンクデータトラフィックについてのスケジューリング対象のデータレートを算出するように適合され、
前記第１のユーザ端末（ＵＥ）は、算出された前記スケジューリング対象のデータレートで前記第１のＥ−ＤＣＨ上の前記アップリンクデータトラフィックを送信するようにさらに適合され、
前記ノードＢ（ＮＢ）は、前記第１のユーザ端末（ＵＥ）が伝送を行う前記スケジューリング対象のデータレートを検出する（１Ｂ）ようにさらに適合され、
前記ノードＢ（ＮＢ）は、検出される前記スケジューリング対象のデータレートが前記第１のＥ−ＤＣＨチャネルのスケジューリング対象の使用権により定義される前記最大データレートよりも高い場合には、制御を行う（２）ようにさらに適合され、
前記ノードＢ（ＮＢ）は、検出される前記スケジューリング対象のデータレートが前記最大データレートよりも高い場合には（３）、前記第１のＥ−ＤＣＨチャネルのスケジューリング対象の使用権を含む少なくとも第２の後続のダウンリンク送信を実行する（４）ようにさらに適合される、
ことを特徴とする、システム。
【発明の詳細な説明】
【技術分野】
【０００１】
本発明は、使用権違反の検知（grant  violation  detection）のための方法及び通信システム、並びに当該方法を可能とするシステムにおけるノードＢ（node  B）及び無線ネットワークコントローラに関する。
【背景技術】
【０００２】
セルラネットワークについて、ブロードバンドのキャパシティを伴う無線技術の実現のニーズの高まりが存在する。良好なブロードバンドシステムは、例えば高いデータレート及びキャパシティ、低いビット単位のコスト、良好なサービス品質並びにより大きなカバレッジなどの所定の基準を満たさなければならない。高速パケットアクセス（ＨＳＰＡ）は、これを可能にするネットワークアクセス技術の一例である。
【０００３】
ＨＳＰＡは、第３世代（３Ｇ）セルフォン技術である既存のユニバーサル移動体通信システム（ＵＭＴＳ）の性能を改善するプロトコルの集合である。ＵＭＴＳは、移動端末の形式のユーザ機器（ＵＥ）と基地局（ＢＳ）との間の無線ベースの通信のためのエアインタフェースとして、広帯域符号分割多重アクセス（ＷＣＤＭＡ）を使用する。開放型システム間相互接続（ＯＳＩ：Open  Systems  Interconnection）モデルにおける当該エアインタフェースは、移動体通信システムのレイヤ１及び２を含み、ＵＥと無線アクセスノード（ＲＡＮ）との間のポイントツーポイントのリンクを確立する。
【０００４】
ＷＣＤＭＡは、高速性とより多くのユーザのサポートとを達成するために、直接シーケンス符号分割多重アクセス（ＣＤＭＡ）のシグナリング方法を利用する、広帯域拡散符号エアインタフェースである。ＷＣＤＭＡの鍵となる特徴は次の通り：
‐それぞれアップリンク（ＵＬ）及びダウンリンク（ＤＬ）チャネルのための２つの５ＭＨｚ無線チャネル
‐周波数分割複信（ＦＤＤ）及び時分割複信（ＴＤＤ）という２つの基本的な複信モードのサポート
【０００５】
ＨＳＰＡは、ＷＣＤＭＡの重要な部分である。ＨＳＰＡに伴って、広域の移動体のカバレッジが提供され得る。いかなる追加的なスペクトラム又はキャリアも必要とされない。現在、ＷＣＤＭＡは、同じキャリア上でユーザに音声及びデータサービスを同時に提供することができる。これは、ＨＳＰＡにも言えることであり、スペクトラムを効率的に使用し得ることを意味する。ある相当に負荷のかけられたシステムでのシミュレーションによれば、ＨＳＰＡは、大きいファイルをダウンロード及びアップロードするために要する時間を大幅に削減し得る。
【０００６】
ＨＳＰＡは、例えば、以下によって、より大規模なシステムキャパシティを提供する：
‐共有チャネルでの送信が、ダウンリンク（ＤＬ）でのＷＣＤＭＡにおける利用可能な符号及び電力リソースの効率的な使用をもたらす。
‐高速なスケジューリングにおいて、最も有利なチャネル条件によりユーザが優先順位付けされる。
‐より高いビットレートをもたらす、ＤＬ及びアップリンク（ＵＬ）における１６ＱＡＭ（Quadrature  Amplitude  Modulation）（オプションとしてＤＬについては６４ＱＡＭ）。
【０００７】
ＨＳＰＡの第１の恩恵は、改善されるエンドユーザ体験である。実際、これは、ＷＣＤＭＡの従前のリリースと比較してより高いビットレート及び削減された遅延の結果として、より短いＵＬ及びＤＬ時間を意味する。また、ＨＳＰＡは、ビットごとの生産コストが抑制されることによる恩恵を事業者にももたらす。そして、より多くのユーザに、より低い生産コストでより高いビットレートでのサービスを提供することが出来る。
【０００８】
他の通信技術と同様、ＨＳＰＡによるエンドユーザの性能は、サービスのタイプ及びより上位のレイヤのアプリケーションプロトコルの振る舞いに依存する。パケットデータサービスのために使用されるＴＣＰ（Transmission  Control  Protocol）は、スロースタート及び性能に影響を与えるメカニズムを含んでおり、全体的なサービスの性能がそうしたメカニズムを多く含む。例えば、ウェブブラウジングにおいて、エアインタフェースとして性能を制限するのは、ＨＳＰＡではなくＴＣＰであろう。ウェブブラウジングとは対照的に、ＴＣＰは、大きなファイルのダウンロード時間には非常に小さい影響しか与えない。これは、その性能が無線リンクのデータレートにより大きく左右されることを意味する。大きいファイルをダウンロードする１人のユーザがセルの全体のキャパシティのうち相当の量を占有することもあり得る。
【０００９】
ＨＳＰＡは、世界中のＷＣＤＭＡ事業者のマイグレーションパスを定義付ける技術のセットである。ＨＳＰＡファミリーにおける２つの既存の特徴である高速ダウンリンクパケットアクセス（ＨＳＤＰＡ）及び高速アップリンクパケットアクセス（ＨＳＵＰＡ）は、改善された変調スキームを使用し、ハンドセットと基地局とが通信するためのプロトコルを改良することにより向上した性能を提供する。そうした改善は、ＵＭＴＳにより提供される既存の無線帯域のよりよい利用をもたらす。
【００１０】
高速ダウンリンクパケットアクセス（ＨＳＤＰＡ）は、ＨＳＰＡ内の第１の特徴である。それは、ＷＣＤＭＡ  ３ＧＰＰ（Third  Generation  Partnership  Project）リリース５の仕様の一部である。ＨＳＤＰＡは、高性能なパケットデータアプリケーションについてのサポートを高める新たなダウンリンク転送チャネルを提供する。それは、ＷＣＤＭＡの性能の進化における第１のステップを表す。ＨＳＤＰＡは、標準的なＷＣＤＭＡネットワークのダウンリンクデータレートにおいて３５までのフォールドの増加をもたらし、固定回線であるＤＳＬにおいてこれまで想定されていたような速度で、携帯電話及びラップトップ上でインターネットにアクセスすることを可能とすることができる。
【００１１】
ＨＳＤＰＡは、共有チャネル送信に基づいており、これはセル内のいくつかのチャネル符号及び送信電力が、ＷＣＤＭＡ内で利用可能な符号及び電力リソースのより効率的な使用のために、時間及び符合領域においてユーザ間で動的に共有される共通リソースとして扱われることを意味している。異なるダウンリンクの通信リンクにより経験される無線チャネル条件は、時間的にもセル内の異なる位置の間でも大きく変化する。
【００１２】
ダウンリンクにおいて急速に変化する無線条件を補償するために、ＨＳＤＰＡは、ビットレート調整に依存する。即ち、送信電力を一定に保ちながら、変調方式を調整することによりデータレートが（低下されることで）調整される。
【００１３】
高速アップリンクパケットアクセス（ＨＳＵＰＡ）は、ＨＳＰＡ内の第２の特徴である。それは、ＷＣＤＭＡ  ３ＧＰＰ（Third  Generation  Partnership  Project）リリース６の仕様の一部である。ＨＳＵＰＡは、拡張専用チャネル（Ｅ−ＤＣＨ：Enhanced  Dedicated  CHannel）と呼ばれる新たなアップリンク（ＵＬ）転送チャネルを提供する。ＨＳＵＰＡは、アップリンクデータトラフィックレートを飛躍的に向上させる。この技術は、移動体ネットワーク上でアップロードされるデータ、特にユーザにより生成されるコンテンツの量を格段に増加させるであろう。ダウンリンクに重きが置かれるといっても、アップリンクの改善によって恩恵を受けるであろうアプリケーションの数もやはり多い。そこには、大規模な電子メールの添付ファイルの送信、画像、ビデオクリップ、ブログなどが含まれる。ＨＳＵＰＡは、拡張ＵＬとしても知られている。
【００１４】
ＨＳＤＰＡとは対照的に、拡張アップリンクとして紹介した上記新たなアップリンクチャネルは、ユーザ間で共有されず、単一のユーザの専用となる。
【００１５】
図１は、ＨＳＵＰＡネットワークの概要を示している。ユーザ端末ＵＥは、少なくとも１つの基地局１１を介して、コアネットワークＣＮと通信する。システムは、後に説明するシステムに対応する第２の基地局１０をさらに含む。第１の無線ネットワークコントローラＲＮＣ１２は、ユーザ端末から基地局へのアップリンクデータトラフィックを可能とするＥ−ＤＣＨを確立する。Ｅ−ＤＣＨは、少なくとも１つの無線ネットワークベアラについてのデータを搬送する。図１における用語“ｌｕ”は、ＲＮＣとコアネットワークとの間のインタフェースを表す。ｌｕ−ｐｓ及びｌｕ−ｃｓという略語を用いる場合があるが、これはパケット交換型（packet  switched）又は回線交換型（circuit  switched）のコアネットワークへの接続を示すものである。用語“ｌｕｂ”は、ＲＮＣと無線基地局（ＲＢＳ）との間のインタフェースを表す。
【００１６】
いくつかの新たな物理チャネルが、Ｅ−ＤＣＨについての高速なデータ送信を提供しサポートするために追加される。図１に示されているように、２つの新たな符号多重化されるアップリンクチャネルが追加されている。
‐Ｅ−ＤＣＨ専用物理データチャネル（Ｅ−ＤＰＤＣＨ）
‐Ｅ−ＤＣＨ専用制御チャネル（Ｅ−ＤＰＣＣＨ）
【００１７】
Ｅ−ＤＰＤＣＨはペイロードデータを搬送し、Ｅ−ＤＰＣＣＨはＥ−ＤＰＤＣＨと関連付けられる制御情報を搬送する。Ｅ−ＤＰＤＣＨは、Ｅ−ＤＣＨ転送チャネルを搬送するために使用される。各無線リンク上にはゼロ、１つ又は複数のＥ−ＤＰＤＣＨがあってよく、各無線リンク上には最大で１つのＥ−ＤＰＣＣＨがある。
【００１８】
Ｅ−ＤＰＤＣＨ及びＥ−ＤＰＣＣＨは、常に同時に伝送される。Ｅ−ＤＰＣＣＨは、Ｅ−ＤＰＤＣＨもまた同じスロット内で伝送されない場合にはそのスロット内で伝送されない。
【００１９】
同様に、図１を参照すると、３つの新たなチャネルが制御を目的としてダウンリンクに追加されている。
‐Ｅ−ＤＣＨハイブリッド自動再送要求（ＨＡＲＱ：Hybrid  Automatic  Repeat  Request）表示チャネル（Ｅ−ＨＩＣＨ）は、アップリンクのＥ−ＤＣＨハイブリッド確認応答（ＡＣＫ）及び否定応答（ＮＡＣＫ）の表示（indicator）を搬送する。ノードＢは、エラーを含んで受信されたデータパケットの再送を要求することができ、各パケットについて確認応答（ＡＣＫ）又は否定応答（ＮＡＣＫ）のいずれかをＵＥへ送信するであろう。
‐Ｅ−ＤＣＨ絶対チャネル（Ｅ−ＡＧＣＨ：E-DCH  Absolute  Channel）は、絶対的な使用権（absolute  grants）を搬送する。それは、ＵＥが使用し得るアップリンクリソースの最大量の絶対的な制限（limitation）が提供されることを意味する。アップリンクＥ−ＤＣＨの絶対的な使用権を搬送するのは、固定的なレートを有するダウンリンク物理チャネルである。
‐Ｅ−ＤＣＨ相対使用権チャネル（Ｅ−ＲＧＣＨ：E-DCH  Relative  Grant  Channel）は、アップリンクＥ−ＤＣＨの相対的な使用権（relative  grants）を搬送する。それは、その時点でサービス提供されている使用権についての制限が増減されることにより、リソースの制限が制御されることを意味する。相対的な使用権（ＲＧ）は、許可されたＵＥの送信電力を徐々に（incrementally）調整するようなスケジューリングプロセス内で使用される。ＵＥは、サービング無線リンクセット内で送信される全てのＥ−ＲＧＣＨから１つの相対的な使用権を受信し合成することができる。
【００２０】
Ｅ−ＤＣＨの送信時間間隔（ＴＴＩ：Transmission  Time  Interval）は、２ｍｓ又は１０ｍｓのいずれかの長さであり得る。Ｅ−ＡＧＣＨは、サービングセルのみから送信される。Ｅ−ＲＧＣＨ及びＥ−ＨＩＣＨは、サービング無線リンクセットの一部である無線リンクから、及び非サービング無線リンクから送信される。
【００２１】
図１に示されているように、同じＥ−ＤＣＨを、サービングセルについての第１のＲＮＣ１２及び非サービングセルについての第２のＲＮＣ（ＲＮＣ２）１３の双方を通じて提供することもできる。第２のＲＮＣ１３は、ノードＢ  ＮＢ２及び拡張ＵＬスケジューラ（ＥＵＬ−Ｓ２）（後に説明する）を有する別個の基地局１０にサービスを提供する。（サービングセルを通じてのみ送信され得る）Ｅ−ＡＧＣＨを除けば、全ての物理チャネルは、これらセルのいずれを通じてでも伝送され得る。その代わりとして、１つのＲＮＣがサービングセル及び非サービングセルの双方にサービス提供することもできる。図１における用語“ｌｕｒ”は、ＲＮＣ１２と第２のＲＮＣ１３との間のインタフェースを表す。コアネットワークと通信するのは、１つのＲＮＣのみであろう（即ち、第１のＲＮＣ）。第１のＲＮＣは、接続の制御を行い、例えばソフトＨＯのような事項を取扱う。
【００２２】
ＲＮＣは、サービスの提供またはドリフティングの役割を担うことができる。これらは、サービングセル又はサービング無線リンクＲＬの概念とは関連しない。サービングＲＮＣとは、無線アクセスネットワークＲＡＮ（無線基地局及びノードＢ）とＣＮとの間の“アンカーポイント”として動作するＲＮＣである。サービングセルは、いくつかの基準に応じてアクティブセットの中で最良のセルであり、サービングＲＮＣ（Ｓ−ＲＮＣ）又はドリフティングＲＮＣ（Ｄ−ＲＮＣ）のいずれかに属することができる。
【００２３】
なお、ＨＳＵＰＡチャネルは、アップリンク／ダウンリンク専用チャネルの最上位に加えられる。従って、各ＵＥは、さらにアップリンク及びダウンリンク専用物理チャネル（ＤＰＣＨ）を搬送する（図１参照）。ダウンリンクにおいては、代替的に部分専用チャネル（Ｆ−ＤＰＣＨ：fractional  dedicated  channel）が用いられてもよい。Ｆ−ＤＰＣＨは、制御情報を搬送し、ダウンリンク専用物理制御チャネル（ＤＰＣＣＨ）の特殊な例である。図１のように、ＵＬは、ＤＰＣＣＨのみを含んでもよい。また、専用物理データチャネル（ＤＰＤＣＨ）が含まれてもよい。これらは、ダウンリンク符号の使用を最適化することを目的として、３ＧＰＰリリース６において導入された。
【００２４】
ＨＳＵＰＡのスケジューリングは、エアインタフェースに近いノードＢ内に位置する拡張ＵＬスケジューラ（ＥＵＬ−Ｓ）により提供される（図１参照）。しかし、それは要求−許可の原理（request-grant  principle）の原理において動作し、ＵＥはデータ送信の許可（permission）を要求し、スケジューラは、いつどれだけのデータを送信することをＵＥに許可するか、またいくつのＵＥがそれを許可されるかを決定する。ＥＵＬ−Ｓは、エアインタフェースの近くでの移動処理のために、及び無線リンクの状況に迅速に対応できるように、ノードＢ内に位置する。
【００２５】
ＨＳＵＰＡにおいて使用される高速スケジューリングは、ＵＥ間での高速なリソースの再割り当てを、パケットデータ送信における“バースト性（burstiness）”を活用しながら可能にする。アップリンクスケジューラのタスクは、セル内でＵＥが使用しているアップリンクリソースを制御することである。従って、スケジューラは、許可される最大のＨＳＵＰＡ送信に使用権を与える。これにより、ＵＥが選択可能な転送ブロックサイズ、そしてアップリンクデータトラフィックレートが効果的に制限される。それにより、システムがより多数の高データレートユーザを参入させ、及び干渉の変化に迅速に適応することが可能となり、キャパシティ及びユーザが高データレートを体験する可能性が共に向上することとなる。
【００２６】
スケジューリングのメカニズムは、絶対的な及び相対的な使用権（grants）に基づいている。絶対的な使用権は、スケジューリングプロセスを初期化し、及びＵＥに絶対的な送信電力比を提供するために使用され、一方、相対的な使用権は、許可された送信電力を徐々に増減させるために使用される。絶対的な使用権は、ダウンリンク物理チャネルＥ−ＡＧＣＨにより搬送され、相対的な使用権は、ダウンリンク物理チャネルＥ−ＲＧＣＨにより搬送される。これら使用権は、アップリンク送信チャネルＥ−ＤＣＨ上の最大の送信の限度（limit）として使用される。これら使用権は、スケジューリング対象のレートに変換され得る。
【００２７】
様々なスケジューリング戦略を実装することができる。様々な環境及びトラフィックのタイプがスケジューリング戦略において様々な要件を有し得るため、この柔軟性は有益である。ＵＥは、例えば、ただ１つの基地局により、又は複数の基地局により同時にスケジューリングされ得る。
【００２８】
ＨＳＵＰＡのために、マクロダイバーシティが活用される。即ち、アップリンクのデータトラフィックパケットを、１つよりも多くのセルにより受信することができる。ＵＥに割り当てられるサービング無線リンクを制御するサービングセルは１つである。サービングセルは、スケジューリングプロセスの全ての制御を有し、ＵＥに絶対的な使用権を提供する。サービング無線リンクセットとは、少なくともサービングセルと存在し得る共通ＲＧ生成（common  RG  generation）を伴う追加的な無線リンクとを含むセルのセットである。ＵＥは、サービング無線リンクセットから１つの相対的な使用権を受信し合成することができる。また、追加的な非サービング無線リンクも存在し得る。ＵＥは、ゼロ、１つ又は複数の非サービング無線リンクを有してもよく、その各々から１つの相対的な使用権を受信することができる。
【００２９】
送信のスケジュールド（scheduled）モード（Ｅ−ＡＧＣＨ及びＥ−ＲＧＣＨ）に加えて、標準では、非スケジュールド（non-scheduled）と名付けられたＵＥからの自己開始（self-initiated）送信モードもまた許可されている。例えば、ＶｏＩＰのために非スケジュールドモードを使用することができる。ＵＥは、スケジューリング対象の（scheduled）フロー及び非スケジューリング対象の（non-scheduled）フローについてのデータレートを独立的に調整する。各非スケジューリング対象のフローの最大データレートは、無線リンクセットアップ及び／又は無線リンク再構成手続において構成され、典型的には頻繁には変更されない。
【００３０】
アップリンクのスケジューリングメカニズムの基本的な原理として、ＵＥは、ＵＥが次回の送信に使用し得る最大Ｅ−ＤＰＤＣＨ電力比を表すサービング使用権（serving  grant）を保持する。利用可能なアップリンク電力は、可能なデータレートを左右する。絶対的な使用権は、ノードＢスケジューラがＵＥの認められるレートをその制御下で直接的に調整することを可能にする。それは、サービング使用権を初期化する。相対的な使用権は、ＵＥのサービング使用権を徐々に調整するために使用される。スケジューリングへの入力として、ＵＥのフィードバックが要求される。ＵＥは、ＵＥ内のバッファステータスについての詳細な情報を提供するスケジューリング情報を送信する可能性を有する。従って、ノードＢスケジューラは、適切なスケジューリング判断を下すことができる。
【００３１】
ＵＥがその使用権に従わず、高すぎるデータレートで送信を行うことも起こり得る。これは、誤動作したＵＥについて、又はＵＥが使用権データを搬送するダウンリンクＥ−ＡＧＣＨ及びＥ−ＲＧＣＨ物理チャネルを検出しなかったことを原因として起こり得る。さらに、ＵＥは、ネットワーク構成に従って常に非スケジューリング対象の部分を送信することができ、拡張ＵＬスケジューラが制御するのはスケジューリング対象の部分のみである。これは、ＷＣＤＭＡ無線アクセスネットワーク（ＲＡＮ）において現在問題となっている。ＵＥは、高すぎるレートで送信を行うことがあり、それによりセル内で障害が生じる。
【００３２】
このレートは、スケジューラにより許可されるレートよりも高い。使用権を再送するスケジューラにより、ＵＥがその再送される使用権を受信できるのであれば、これを抑制することは可能である。しかしながら、同じ電力レベルで送信される場合、失敗が繰り返されるであろう。Ｅ−ＲＧＣＨ又はＥ−ＡＧＣＨが送信される都度ダウンリンク電力を単純に増加させるだけでは、コストがかかり過ぎる。また、使用権の再送に効果が無ければ、ＵＥについて何か対処をする必要がある。なぜならば、高すぎるレートでの送信は、セルに深刻な障害を与えかねないからである。
【００３３】
国際公開第２００６／５１８６７号公報は、受信されるＥ−ＤＣＨの電力レベルが高すぎる場合にＵＥがＥ−ＤＣＨデータチャネルのビットレートを下げるよう指示される、移動体通信システムを開示している。受信されるＥ−ＤＣＨの電力レベルが高すぎる場合には、非サービングセルがＥ−ＲＧＣＨを送信し、ＵＥにＥ−ＤＣＨの送信レートを下げるように指示する。このシステムの問題は、ＵＥがＥ−ＲＧＣＨが送信された後に電力を変更しないような状況を扱う方法がないことである。
【発明の概要】
【発明が解決しようとする課題】
【００３４】
本発明の目的は、使用権違反の検知のための方法及び通信システム、並びに上記方法を可能にするシステム内の拡張アップリンクスケジューラ及び無線ネットワークコントローラにより、上述した問題を解決することである。
【課題を解決するための手段】
【００３５】
上述した問題を解決するために、本発明は、拡張アップリンク通信システムにおける使用権違反の検知のための方法に関する。上記システムは、少なくとも１つの第１のユーザ端末との間の無線通信を可能とするための少なくとも１つの第１の基地局を備える。上記方法によれば、少なくとも１つの第１の無線ネットワークコントローラは、上記第１のユーザ端末から少なくとも上記第１の基地局へのあるデータレートを伴うアップリンクデータトラフィックを可能とする少なくとも第１の拡張ＵＬ転送チャネル（Ｅ−ＤＣＨ）を確立する。上記第１のＥ−ＤＣＨは、少なくとも１つの無線アクセスベアラについてのデータを搬送する。少なくとも第１のダウンリンク送信は、上記第１のユーザ端末に対して行われる。当該送信は、第１のＥ−ＤＣＨチャネルのスケジューリング対象の使用権を含む。上記スケジューリング対象の使用権は、アップリンクデータトラフィックについての最大データレート限度を定義する。
【００３６】
上記方法によれば、上記第１のユーザ端末は、受信される上記第１のＥ−ＤＣＨチャネルのスケジューリング対象の使用権から、上記第１のＥ−ＤＣＨを介する上記アップリンクデータトラフィックについてのスケジューリング対象のデータレートを算出する。上記第１のユーザ端末は、算出された上記スケジューリング対象のデータレートで上記第１のＥ−ＤＣＨ上の上記アップリンクデータトラフィックを送信する。ノードＢは、上記第１のユーザ端末が伝送を行う上記スケジューリング対象のデータレートを検出する。
【００３７】
上記方法を特に特徴付ける点は、上記ノードＢが、検出される上記スケジューリング対象のデータレートが上記第１のＥ−ＤＣＨチャネルのスケジューリング対象の使用権により定義される上記最大データレートよりも高い場合には、さらに制御を行う点である。検出される上記スケジューリング対象のデータレートが上記最大データレートよりも高い場合には、上記ノードＢは、上記第１のＥ−ＤＣＨチャネルのスケジューリング対象の使用権を含む少なくとも第２の後続のダウンリンク送信を実行する。
【００３８】
上述した問題を解決するために、本発明は、拡張ＵＬ通信システムにおける使用権違反の検知のために適合されるノードＢにも関する。上記システムは、少なくとも１つの第１のユーザ端末との間の無線通信を可能とするための少なくとも１つの第１の基地局をさらに備える。
【００３９】
上記第１のユーザ端末から少なくとも上記第１の基地局へのあるデータレートを伴うアップリンクデータトラフィックを可能とする少なくとも第１の拡張ＵＬ転送チャネル（Ｅ−ＤＣＨ）が確立される。上記第１のＥ−ＤＣＨは、少なくとも１つの無線アクセスベアラについてのデータを搬送する。送信は、第１のＥ−ＤＣＨチャネルのスケジューリング対象の使用権を含む。上記スケジューリング対象の使用権は、上記第１のＥ−ＤＣＨを介する上記アップリンクデータトラフィックについての最大データレート限度を定義する。上記ノードＢは、上記第１のユーザ端末が上記第１のＥ−ＤＣＨ上でアップリンクデータトラフィックを送信するスケジューリング対象のデータレートを検出するようにさらに適合される。
【００４０】
ノードＢを特に特徴付ける点は、検出される上記スケジューリング対象のデータレートが上記第１のＥ−ＤＣＨチャネルのスケジューリング対象の使用権により定義される上記最大データレートよりも高い場合に、制御を行うように適合される点である。検出される上記スケジューリング対象のデータレートが上記最大データレートよりも高い場合には、上記ノードＢは、上記第１のＥ−ＤＣＨチャネルのスケジューリング対象の使用権を含む少なくとも第２の後続のダウンリンク送信を実行するようにさらに適合される。
【００４１】
上述した問題を解決するために、本発明は、使用権違反の検知のために適合される、拡張ＵＬ通信システムにおける第１の無線ネットワークコントローラ（ＲＮＣ）にも関する。上記システムは、少なくとも１つの第１のユーザ端末との間の無線通信を可能とするための少なくとも１つの第１の基地局をさらに備える。少なくとも１つの上記第１のＲＮＣは、上記第１のユーザ端末から少なくとも上記第１の基地局へのあるデータレートを伴うアップリンクデータトラフィックを可能とする少なくとも第１の拡張ＵＬ転送チャネル（Ｅ−ＤＣＨ）を確立するために構成される。上記第１のＥ−ＤＣＨは、少なくとも１つの無線アクセスベアラについてのデータを搬送する。
【００４２】
少なくとも第１のダウンリンク送信は、上記第１のユーザ端末に対してさらに実行される。送信は、第１のＥ−ＤＣＨチャネルのスケジューリング対象の使用権を含む。上記スケジューリング対象の使用権は、上記第１のＥ−ＤＣＨを介する上記アップリンクデータトラフィックについての最大データレート限度を定義する。上記第１のＲＮＣを特に特徴付ける点は、ノードＢによる開始後に上記第１のＲＮＣへ送信される失敗標識（failure  indication）又は無線リンク再構成提案を受信するようにさらに適合される点である。
【００４３】
最後に、上述した問題を解決するために、本発明は、使用権違反の検知のために適合される拡張ＵＬ通信システムにも関する。上記システムは、少なくとも１つの第１のユーザ端末との間の無線通信を可能とするための少なくとも１つの第１の基地局をさらに備える。少なくとも１つの第１の無線ネットワークコントローラは、上記第１のユーザ端末から少なくとも上記第１の基地局へのあるデータレートを伴うアップリンクデータトラフィックを可能とする少なくとも第１の拡張ＵＬ転送チャネル（Ｅ−ＤＣＨ）を確立するように適合される。上記第１のＥ−ＤＣＨは、少なくとも１つの無線アクセスベアラについてのデータを搬送する。少なくとも第１のダウンリンク送信は、上記第１のユーザ端末に対して行われる。送信は、第１のＥ−ＤＣＨチャネルのスケジューリング対象の使用権を含む。上記スケジューリング対象の使用権は、上記第１のＥ−ＤＣＨを介する上記アップリンクデータトラフィックについての最大データレート限度を定義する。
【００４４】
上記第１のユーザ端末は、受信される上記第１のＥ−ＤＣＨチャネルのスケジューリング対象の使用権から、上記第１のＥ−ＤＣＨを介する上記アップリンクデータトラフィックについてのスケジューリング対象のデータレートを算出するように適合される。上記第１のユーザ端末は、算出された上記スケジューリング対象のデータレートで上記第１のＥ−ＤＣＨ上の上記アップリンクデータトラフィックを送信するようにさらに適合される。そして、ノードＢは、上記第１のユーザ端末が伝送を行う上記スケジューリング対象のデータレートを検出するように適合される。
【００４５】
上記システムを特に特徴付ける点は、ノードＢが、検出される上記スケジューリング対象のデータレートが上記第１のＥ−ＤＣＨチャネルのスケジューリング対象の使用権により定義される上記最大データレートよりも高い場合には、制御を行う点である。検出される上記スケジューリング対象のデータレートが上記最大データレートよりも高い場合には、上記ノードＢは、上記第１のＥ−ＤＣＨチャネルのスケジューリング対象の使用権を含む少なくとも第２の後続のダウンリンク送信を実行するようにさらに適合される。
【発明の効果】
【００４６】
本発明の１つの利点は、拡張アップリンクスケジューラが、ユーザ端末が使用権を検出するためのあらたな可能性を与える、後続のダウンリンク送信を実行することである。
【００４７】
他の利点は、ダウンリンク電力を節約するために、ノードＢが必要とされるよりも多くの電力を使用しないことである。使用権違反が検知された場合、ユーザ端末がダウンリンク送信を受信できないという仮定の下、ダウンリンク電力レベルは、繰り返される後続の送信において増加され得る。この取扱いにより、専用物理チャネル（ＤＰＣＨ）及びＨＳＤＰＡのように可能な限りダウンリンクデータのために使用されるべきダウンリンク電力が節約される。代替手段として常にダウンリンク電力を増加させることは、コストがかかり過ぎるであろう。
【００４８】
さらなる利点は、電力の増加にも関わらずユーザ端末が何らかの理由で相対的な又は絶対的な使用権を検出しない場合、当該端末がＥ−ＤＣＨ構成から除外され、それによりセル内でのさらなる干渉が生じないことである。
【図面の簡単な説明】
【００４９】
以下の文章において、添付図面を参照しながら本発明を詳細に説明する。これら図面は、例示のために使用されるものであり、いかなる形でも本発明を限定するものではない。
【００５０】
【図１】ＨＳＵＰＡネットワークの概要を示している。
【図２】使用権違反の検知及びダウンリンク送信信号の送信のためのフローチャートを示している。
【図３】非再送であり（non-repeated）、それぞれ再送される（respectively  repeated）使用権の送信におけるダウンリンク電力レベルを示している。
【図４】非再送であり、それぞれ再送される使用権の送信における、電力レベルが上昇する場合のダウンリンク電力レベルを示している。
【図５】第１のＲＮＣ（１２）、ノードＢ（ＮＢ）及びユーザ端末（ＵＥ）の間のインタラクションのシーケンス図を示している。
【図６】失敗が示された場合にＥ−ＤＣＨからＤＣＨへの再構成がなされる場合の、第１のＲＮＣ（１２）、ノードＢ（ＮＢ）及びユーザ端末（ＵＥ）の間のインタラクションのシーケンス図を示している。
【図７】失敗が示された場合にＥ−ＤＣＨからＦＡＣＨへの再構成がなされる場合の、第１のＲＮＣ（１２）、ノードＢ（ＮＢ）及びユーザ端末（ＵＥ）の間のインタラクションのシーケンス図を示している。
【図８】失敗が示された場合にＥ−ＤＣＨが解放される場合の、第１のＲＮＣ（１２）、ノードＢ（ＮＢ）及びユーザ端末（ＵＥ）の間のインタラクションのシーケンス図を示している。
【図９】ＲＡＢ構成要求がＥ−ＤＣＨからＤＣＨへの再構成を導く場合の、第１のＲＮＣ（１２）、ノードＢ（ＮＢ）及びユーザ端末（ＵＥ）の間のインタラクションのシーケンス図を示している。
【発明を実施するための形態】
【００５１】
本明細書において説明され、図面に示される実施形態を参照しながら、以下に本発明を詳細に説明する。
【００５２】
本実施形態は、使用権違反の検知のための方法及び通信システム、並びに当該方法を可能とするシステムにおけるノードＢ及び無線ネットワークコントローラについてのものである。システム、並びに当該システムにおけるノードＢ及び無線ネットワークコントローラは、上記方法において記述されるような方法ステップを実行するように適合される。当業者であれば、システム及び特にシステムの部分が方法ステップを実行するということは、それが当該ステップを実行するように適合されることを意味するものと理解するであろう。
【００５３】
図１は、ＨＳＵＰＡネットワークの概要を示している。ユーザ端末ＵＥは、基地局１１を介してコアネットワークＣＮと通信する。第１の無線ネットワークコントローラＲＮＣ１２は、ユーザ端末から基地局へのアップリンクデータトラフィックを可能とするＥ−ＤＣＨを確立し、第１のＥ−ＤＣＨは少なくとも１つの無線アクセスベアラ（ＲＡＢ）についてのデータを搬送する。
【００５４】
本発明は、ＨＳＵＰＡシステムに相当する拡張アップリンク（ＵＬ）通信システムにおける使用権違反の検知のための方法に関する。ＨＳＵＰＡシステムは、第１の又はより多くのユーザ端末ＵＥとの間の無線通信を可能とする少なくとも１つの第１の基地局１０を含む。システムは、さらに、後に説明する対応するシステムを伴う第２の基地局１０をさらに含む。
【００５５】
第１の無線ネットワークコントローラＲＮＣ１２は、第１のユーザ端末ＵＥから第１の基地局１０へのあるデータレートを伴うアップリンクデータトラフィックを可能とする少なくとも第１の拡張ＵＬ転送チャネル（Ｅ−ＤＣＨ）を確立する（１つより多くのＲＮＣが関わってもよい）。また、ＲＮＣは、他の基地局へのＥ−ＤＣＨチャネルも確立してよい。Ｅ−ＤＣＨは、少なくとも１つの無線アクセスベアラ（ＲＡＢ）についてのデータを搬送する。Ｅ−ＤＣＨは、データ送信が開始する際に、ユーザ端末ＵＥとコアネットワークＣＮとの間のデータ及び制御シグナリングのために使用される。
【００５６】
少なくとも第１のダウンリンク送信が、第１のユーザ端末（ＵＥ）に許可される第１のＥ−ＤＣＨチャネルのスケジューリング対象の使用権を含んで実行される。そのスケジューリング対象の使用権は、第１のＥ−ＤＣＨを介するアップリンクデータトラフィックについての最大データレート限度（maximum  data  rate  limit）を定義する。
【００５７】
第１のＲＮＣ１２は、第１のＥ−ＤＣＨの確立の前に、無線リンク（ＲＬ）セットアップ又は再構成の間、第１のユーザ端末ＵＥに許可されるチャネルのスケジューリング対象の使用権のＲＬセットアップ又は再構成を含む第１のダウンリンク送信を実行する。
【００５８】
実際には、第１のＲＮＣ１２は、無線リンク（ＲＬ）セットアップ／再構成手続を介してノードＢ及びＵＥを構成する。そして、Ｅ−ＤＣＨ転送チャネルが構成される。Ｅ−ＤＣＨは、非スケジューリング対象のＭＡＣ−Ｄフロー群（例えば、ＲＲＣプロトコルを介してＵＥに構成データを送信するために使用されるシグナリング無線ベアラ（ＳＲＢ）など）を有してもよく、それらは、常に送信され得ることを意味する非スケジューリング対象の使用権を有することができる。また、Ｅ−ＤＣＨは、典型的には、スケジューリング対象のＭＡＣ−ｄフロー（例えば双方向サービス）をも含み、それは初期のスケジューリング対象の使用権（ＳＧ）（ゼロであってもよい）を有することができる。しかし、ＭＡＣ−ｄフローの送信の量は、スケジューラ、絶対的な使用権（ＡＧ）及び相対的な使用権（ＲＧ）の制御下にある。
【００５９】
拡張ＵＬスケジューラ（ＥＵＬ−Ｓ）を含むノードＢ  ＮＢは、第１のユーザ端末に許可される第１のＥ−ＤＣＨチャネルのスケジューリング対象の使用権を含む第１のダウンリンク送信を実行する。上記ステップを実行するシステム内に１つより多くのノードＢが存在してもよい。スケジューリング対象の使用権は、第１のＥ−ＤＣＨを介するアップリンクデータトラフィックについてのスケジューリング対象の最大データレート限度を定義する。チャネルのスケジューリング対象の使用権の詳細については、後に説明する。
【００６０】
図１を参照すると、ＥＵＬ−ＳはノードＢ  ＮＢの一部であり、これはエアインタフェース（ＨＳＵＰＡにおけるＷＣＤＭＡ）に近いことを意味する。それは要求−許可の原理において動作し、ユーザ端末ＵＥはデータ送信の許可を要求し、スケジューラは、いつどれだけのデータを送信することをＵＥに許可するか、またいくつのＵＥにそれを許可するかを決定する。ＥＵＬ−Ｓは、エアインタフェースの近くでの移動処理のために、及び無線リンクの状況に迅速に対応できるように、ノードＢ内に位置する。アップリンクスケジューラの特有のタスクは、ユーザ端末が使用しているアップリンクリソースを制御することである。
【００６１】
ノードＢは、ＵＭＴＳにおいて基地送受信局（ＢＴＳ）を表すために用いられる用語である。ＧＳＭ基地局とは対照的に、ノードＢ  ＮＢは、エアインタフェースとしてＷＣＤＭＡを使用する。例えばＵＭＴＳ及びＧＳＭなどの全てのセルラーシステムにおける場合のように、ノードＢは、その周りを自由に移動する移動体との間で直接的に通信を行うために用いられる送信機及び受信機を含む。現在、ノードＢが有する最小限の機能は、ＲＮＣにより制御される。ノードＢは、ＲＮＣへ信号を送信する。ノードＢの一部としてのＥＵＬ−Ｓはユーザ端末へのＥ−ＡＧＣＨ／ＲＧＣＨの送信をトリガするが、Ｅ−ＡＧＣＨ／ＲＧＣＨの復号及び実際の送信はノードＢ内で処理される。次の文章において、ノードＢは、所定の手続を実行するものとして説明するが、実際にはノードＢの一部であるＥＵＬ−Ｓによりいくつかの手続が行われてもよい。
【００６２】
第１のユーザ端末ＵＥは、第１のＥ−ＤＣＨを介するアップリンクデータトラフィックについてのスケジューリング対象のデータレートを、受信される第１のＥ−ＤＣＨチャネルのスケジューリング対象の使用権から計算する。スケジューリング対象のデータレートをいかに計算するかについて、チャネルのスケジューリング対象の使用権の特徴に関連して後に説明を行う。計算の後、第１のユーザ端末は、算出されたデータレートで第１のＥ−ＤＣＨ上でアップリンクデータトラフィックを送信する。これは、Ｅ−ＤＣＨチャネルのスケジューリング対象の使用権を送信することにより、どれだけのデータレートを用いることが許可されるかについて、ノードＢがユーザ端末に指示することができることを意味する。
【００６３】
ノードＢ  ＮＢは、セルの負荷及びセル内の干渉のリスクを制御するために、第１のユーザ端末が送信を行うスケジューリング対象のデータレートを検出する。これは図２に示されており、ダウンリンク上でのスケジューリング対象の使用権の使用権違反の検知及び送信についてのフローチャートが示されている。スケジューリングにより、システムがより多数の高データレートユーザを参入させ、及び干渉の変化に迅速に適応することが可能となり、キャパシティ及びユーザが高データレートを体験する可能性が共に向上することとなる。また、セル内で障害が生じるほどセル干渉が大きくなることのないようにシステムが制御を行うことも可能となる。
【００６４】
本発明が焦点を当てる主な問題は、ユーザが高すぎるデータレートで送信を行うことがあり、それによりセル内で障害が引き起こされることである。このレートは、スケジューラにより許可されるレートよりも高いレートである。高すぎるレートでの送信はセルに深刻な障害を与え得るため、ユーザ端末に対し何らかの対処が必要である。
【００６５】
本発明は、上述した問題を次のような方法ステップにより解決する。即ち、図２を参照すると、ノードＢ  ＮＢは、まず、ＳＧ  ＥＵＬ−Ｓが第１のＥ−ＤＣＨチャネルのスケジューリング対象の使用権により定義した最大データレートよりも検出されるスケジューリング対象のデータレートが高い場合に、制御（２）を行う。図２のポイント３を参照すると、検出されるスケジューリング対象のデータレートが最大データレートよりも高い場合には、ノードＢ  ＮＢは、第１のＥ−ＤＣＨチャネルのスケジューリング対象の使用権を含む少なくとも第２の後続のダウンリンク送信を実行する（４）。ポイントＡを参照すると、検出されるスケジューリング対象のデータレートが最大データレートと同等またはそれより低い場合には、後続の送信は実行されない。
【００６６】
開示される現行の発明は、スケジューリング判断がユーザ端末ＵＥにより実際に確実に遂行されるようにするための制御メカニズムを提供する。Ｅ−ＤＣＨチャネルのスケジューリング対象の使用権を伴うダウンリンク送信は繰り返され、それによりユーザ端末にそのスケジューリング対象の使用権を検出する新たな可能性が与えられる。その繰り返しは、検出されるスケジューリング対象のデータレートが最大データレートよりも高い場合にのみ行われる。これは、必要な場合にのみ再送が行われることを意味している。
【００６７】
第１のＲＮＣ１２は、第２のユーザ端末から第１の基地局又は第２の基地局へのあるデータレートを伴うアップリンクデータトラフィックを可能とする、少なくとも１つの第２のＥ−ＤＣＨを確立する。ノードＢ  ＮＢは、第２のユーザ端末に許可される第２のＥ−ＤＣＨチャネルのスケジューリング対象の使用権を含む第１の送信を実行し、そのスケジューリング対象の使用権は、第２のＥ−ＤＣＨを介するアップリンクデータトラフィックについての最大データレート限度を定義する。これは、システム内で、例えば第２のユーザ端末と第１又は第２の基地局との間に、１つより多くのＥ−ＤＣＨが存在し得ることを意味する。各ユーザ端末に対しては１つのＥ−ＤＣＨのみが存在し、これは第２のＥ−ＤＣＨが第２の端末とネットワークとの間で確立されなければならないことを意味する。従って、当業者であれば、本発明に係る方法が１つより多くのＥ−ＤＣＨについて実行され得ることを理解するであろう。
【００６８】
図１に示されているように、Ｅ−ＤＣＨは、サービングセルについての第１のＲＮＣ１２又は非サービングセルについての第２のＲＮＣ（ＲＮＣ２）１３のいずれを通じても提供され得る。第２のＲＮＣ１３は、ノードＢ  ＮＢ２及び（後に説明する）拡張ＵＬスケジューラ（ＥＵＬ−Ｓ２）を伴う別個の基地局１０にサービスを提供する。（サービングセルを通じてのみ送信され得る）Ｅ−ＡＧＣＨを除けば、全ての物理チャネルは、これらセルのいずれを通じてでも伝送され得る。その代わりとして、１つのＲＮＣがサービングセル及び非サービングセルの双方にサービス提供することもできる。図１における用語“ｌｕｒ”は、ＲＮＣ１２と第２のＲＮＣ１３との間のインタフェースを表す。コアネットワークと通信するのは、１つのＲＮＣのみであろう（即ち、第１のＲＮＣ）。第１のＲＮＣは、接続の制御を行い、例えばソフトＨＯのような事項を取扱う。
【００６９】
Ｅ−ＤＣＨ転送チャネルは、Ｅ−ＤＣＨ専用物理チャネル（Ｅ−ＤＰＤＣＨ）によりマッピングされる（図１参照）。Ｅ−ＤＰＣＣＨは、Ｅ−ＤＰＤＣＨと関連付けられるレイヤ１制御情報を搬送する。Ｅ−ＤＰＤＣＨは、Ｅ−ＤＣＨ転送チャネルを搬送するために使用される。Ｅ−ＤＰＤＣＨ及びＥ−ＤＰＣＣＨは、常に同時に伝送される。Ｅ−ＤＰＣＣＨは、Ｅ−ＤＰＤＣＨもまた同じスロット内で伝送されない場合にはそのスロット内で伝送されない。
【００７０】
当業者は、以下に開示するノードＢ（ＮＢ）１１により実行される次のステップが第２のノードＢ（ＮＢ２）１０により同時に実行され得ることは理解するであろう。これらステップは、無線ネットワークコントローラＲＮＣ１２及びＲＮＣ２  １３のいずれの制御も受けずに実行される。
【００７１】
少なくともノードＢ  ＮＢは、第１のＥ−ＤＣＨ上のスケジューリング対象のデータレートを、アップリンクデータトラフィックのデータフレームを復号することにより検出する。データを有するＥ−ＤＣＨ転送ブロックは、１つの送信時間間隔（ＴＴＩ）上にマッピングされる。
【００７２】
ノードＢ  ＮＢは、Ｅ−ＤＣＨ上のアップリンクデータトラフィックのスケジューリング対象のデータレートを、Ｅ−ＤＰＤＣＨ及び／又はＥ−ＤＣＨ転送フォーマットコンビネーション識別子（Ｅ−ＴＦＣＩ）を復号することにより検出する。Ｅ−ＤＰＤＣＨ及びＥ−ＴＦＣＩの１つ又は双方は、実効データレートを導くために使用される。Ｅ−ＴＦＣＩは、転送ブロック−１つのＴＴＩ内のＥ−ＤＣＨ上で送信されるペイロードユニット−のサイズを示す値（即ち、何ビットが含まれるか）である。
【００７３】
第２の後続の送信後に、スケジューリング対象のデータレートが最大データレートよりも高い場合には、少なくともノードＢ  ＮＢは、第１のＥ−ＤＣＨチャネルのスケジューリング対象の使用権を含む少なくとも第３の後続のダウンリンク送信を実行する（図２のポイント４参照）。第１のＲＮＣ１２、ノードＢ  ＮＢ及びユーザ端末ＵＥの間のインタラクションのシーケンス図を示す図５も参照されたい。図５において、ポイント１Ａは、ノードＢにより実行される第１のダウンリンク送信を表している。ポイント２（図２及び５）は、検出されるスケジューリング対象のデータレートが最大データレートよりも高い場合の制御を表している。検出されるスケジューリング対象のデータレートが最大データレートよりも高い場合には、ポイント３（図２及び５）を参照すると、ノードＢは、第１のＥ−ＤＣＨチャネルのスケジューリング対象の使用権を含む少なくとも第２の後続のダウンリンク送信を実行する（４）。
【００７４】
図５では、ダウンリンク送信の実行後に少なくともノードＢ  ＮＢがある期間だけ待機し（ポイントＢ）、検出されたスケジューリング対象のデータレートが第１のＥ−ＤＣＨチャネルのスケジューリング対象の使用権により定義される最大データレートよりも高い場合には、その期間の後に、後続の送信を実行（４）すべきか否か（３）について再度制御が行われる（２）。
【００７５】
図２及び５に示されているように、少なくともノードＢ  ＮＢは、処理を継続すると１回より多くのダウンリンク送信を繰り返し（４）、この全ての再送を“後続の送信”という。第３の後続のダウンリンク送信（４）の後に、第１のＥ−ＤＣＨチャネルのスケジューリング対象の使用権を含む少なくとも１回のさらなる後続のダウンリンク送信（４）が行われてもよい。
【００７６】
後続のダウンリンク送信は、検出されるスケジューリング対象のデータレートが最大データレートと同等又はそれより低くなるまで（ポイント５  ＮＯ／Ａ（図２））、繰り返され得る。最終的に、第１のユーザ端末ＵＥが、第１のＥ−ＤＣＨチャネルのスケジューリング対象の使用権を受信し、アップリンクデータトラフィックについてのスケジューリング対象のデータレートを再計算したこととなる可能性がある。
【００７７】
オプションとして、第３の後続のダウンリンク送信（４）の後に、後続のダウンリンク送信の回数が予め定義される値に到達するまで、少なくとも１つのさらなる後続のダウンリンク送信が続いて行われる。これは、例えばシステム管理用ユーザインタフェースを介して運用者により設定され予め記憶される予め定義される値に到達するまで、少なくともノードＢ  ＮＢが処理を継続してダウンリンク送信を繰り返すことを意味する。
【００７８】
オプションとして、後続のダウンリンク送信は、少なくともノードＢ  ＮＢにより、前回の送信と等しく又は当該送信を上回る電力レベルで行われる。再送、及び特に電力の増加により、ユーザ端末ＵＥが第１のＥ−ＤＣＨのスケジューリング対象の使用権を検出できる可能性が高まる。そして、ダウンリンク送信の後に、第１のＥ−ＤＣＨチャネルのスケジューリング対象の使用権を含む少なくとも１回のさらなる後続のダウンリンク送信が、電力レベルが閾値に到達するまで続いて行われる。
【００７９】
図３は、非再送であり（non-repeated）、それぞれ電力レベルの増加と共に再送されるスケジューリング対象の使用権の送信におけるダウンリンク（ＤＬ）電力レベル（ワット）を示している。図示されている通り、実線は、無線チャネル又は他の何らかのＤＬ電力制御手続の予測に基づく、初期のチャネルのスケジューリング対象の使用権についての時間に沿った電力レベルの評価のオプションを表している。この評価は、例えば、良好な無線条件がより低い電力をもたらすこと及びその逆などの無線条件に基づくものである。３ＧＰＰ２５．４１４によれば、Ｅ−ＡＧＣＨ及びＥ−ＲＧＣＨ電力制御は、ノードＢ  ＮＢの制御下にある。例えば、ＵＥによりノードＢ又はノードＢに適用される他の何らかの電力制御手続に送信される電力制御コマンドに従う。
【００８０】
繰り返されるスケジューリング対象の使用権の再送の電力レベルは、図３において破線で示されている。それは、その時点で評価される初期電力レベルにＸｎを加えることで導かれる（図４も参照）。電力レベルを増加する理由は、既定のレベルの設定がユーザ端末がスケジューリング対象の使用権を検出可能とするには不十分であることである。通常、増分値は、Ｘ１、Ｘ２、Ｘ３、…Ｘｎのように使用される。しかしながら、他の値もまた可能であり、例えばゼロを設定することは電力増加のない再送を意味する。
【００８１】
図４は、非再送であり、電力レベルが実線のバーで示されているような固定的な値から一定の比率で上昇する場合の、それぞれ再送されるスケジューリング対象の使用権の送信におけるダウンリンク（ＤＬ）電力レベル（ワット）を示している。各バーは、本発明に従って繰り返される後続のダウンリンク送信を表している。電力レベルを増加させるオプションに従って、図４は、固定値による第１の送信、及び電力が固定値から上昇していく後続の再送（破線のバー）を示している。通常、増分値は、Ｘ１、Ｘ２、Ｘ３、…Ｘｎのように使用される。しかしながら、他の値もまた可能であり、例えばゼロを設定することは電力増加のない再送を意味する。本発明は、これらどのような値の設定をも含むものである。上昇する電力レベルは、図５においても、括弧内のＸ１、Ｘ２等により示されている。
【００８２】
次に、予め定義される後続のダウンリンク送信の回数の後、又は送信電力レベルが閾値に到達した後に、スケジューリング対象のデータレートが依然として第１のＥ−ＤＣＨチャネルのスケジューリング対象の使用権により定義される最大データレートよりも高い場合に何が起こるかについて説明する。これは、例えば、ダウンリンクの後続の送信回数が予め定義される値に到達した後についてのものである。また、電力レベルが閾値に到達した後についてのものであってもよい。さらなる代替手段として、ダウンリンク送信の繰り返しは、予め定義される期間だけ継続されてもよい。
【００８３】
以下の文章において、ノードＢ（ＮＢ）１１又はノードＮ（ＮＢ２）１０は、第１のＲＮＣ１２のみとコンタクトする。第２のＲＮＣ（１３）は透過的であり、情報を転送するのみである。
【００８４】
ノードＢ  ＮＢは、第１のＲＮＣ１２への失敗標識の送信又は無線リンク再構成提案（reconfiguration  proposal）の送信を開始する（６）（図２及び５参照）。失敗標識は、他の原因により送信されてもよく、その場合には当該標識の原因を“スケジューリング対象の使用権に対しユーザ端末の応答なし”とすることができる。これは無線リンク再構成提案についての原因にはあてはまらず、無線リンク再構成提案は新たな種類の信号である。しかし、その要求についての原因も“スケジューリング対象の使用権に対しユーザ端末の応答なし”とすることができる。
【００８５】
スケジューリング対象のデータレートが第１のＥ−ＤＣＨチャネルにより定義される最大データレートよりも依然として高い場合の状況を扱うために、他の４つの解決策が存在する。それらは、図６〜９に示されている。
【００８６】
２つの代替手段（図６及び９参照）において、少なくとも１つのＲＡＢが、第１のＥ−ＤＣＨから第１の専用チャネルＤＣＨへ、第１のＲＮＣ１２により再構成される。第１のＲＮＣ１２は、失敗標識６ａ（１）又は無線リンク再構成提案６ｄ（１）の受信の際にその決定を行う。そして、第１のＲＮＣ１２は、少なくとも第１のＥ−ＤＣＨから第１のＤＣＨへの切り替えの指示を伴う再構成制御信号をノードＢ  ＮＢに（６ａ（３）／６ｄ（３））及びユーザ端末ＵＥに（６ａ（２）／６ｄ（２））送信することにより、再構成を行う。
【００８７】
１つの代替手段において（図７参照）、第１のＲＮＣ１２により、少なくとも１つのＲＡＢが、第１のＥ−ＤＣＨから第１の転送アクセスチャネル（ＦＡＣＨ）へ再構成される。第１のＲＮＣ１２は、失敗標識の受信（６ｂ（１））の際にその決定を行う。そして、第１のＲＮＣ１２は、第１のＥ−ＤＣＨから第１のＦＡＣＨへの切り替えの指示を伴う再構成制御信号を、ノードＢ（ＮＢ）（６ｂ（３））及びユーザ端末ＵＥ（６ｂ（２））へ少なくとも送信することにより、再構成を行う。
【００８８】
ユーザ端末ＵＥは、ＵＬについてのランダムアクセスチャネル（ＲＡＣＨ）又はＤＬについてのＦＡＣＨにおいて、いつでもショートパッケージを送信することができる。データが小さくなければ、ＤＣＨ又はＥ−ＤＣＨへの切換えが行われ、いずれの場合にもそれは第１のＲＮＣ１２が無線リンク（ＲＬ）セットアップをノードＢ  ＮＢ及びユーザ端末に送信することを意味する。ＤＣＨは、例えば６４ｋｂｐｓサービスなどの固定的な限度を有する。そして、ＵＬ及びＤＬの双方において最大６４ｋｂｐｓで送信を行うことができる。Ｅ−ＤＣＨ（ＵＬのみ）は、構成において最小のレート（最小の使用権）を有することができる。しかし、その時点から、レイヤ１上のＨＡＲＱ再送（HARQ  re-transmissions）を含むノードＢスケジューラにより全て制御される。
【００８９】
１つの代替手段において（図８参照）、Ｅ−ＤＣＨは解放される。第１のＲＮＣ１２は、失敗標識の受信（６ｃ（１））の際に、第１のＥ−ＤＣＨを解放する決定を行う。第１のＲＮＣ１２は、第１のＥ−ＤＣＨの解放の指示を伴う解放制御信号を、ノードＢ  ＮＢ（６ｃ（３））及びユーザ端末（６ｃ（２））へ少なくとも送信することによりＥ−ＤＣＨを解放する。
【００９０】
Ｅ−ＤＣＨチャネルのスケジューリング対象の使用権は、Ｅ−ＤＣＨ専用物理チャネル（Ｅ−ＤＰＤＣＨ）によりマッピングされる（図１参照）。Ｅ−ＡＧＣＨは、第１の基地局により生成されるサービングセルを介して送信され、Ｅ−ＲＧＣＨは、サービングセル又は少なくとも第２の基地局により生成される少なくとも１つの非サービングセルにより送信される。本発明の範囲内で、ダウンリンク送信信号を、Ｅ−ＡＧＣＨを用いる絶対的なスケジューリング対象の使用権として送信することができるが、それをＥ−ＲＧＣＨを用いるサービングの（サービングセルからの）相対的なスケジューリング対象の使用権又は非サービングの（非サービングセルからの）相対的なスケジューリング対象の使用権として送信することもできる。
【００９１】
いくつかの場合において、ＵＥにより使用されるスケジューリング対象のレートを扱うための十分な復号リソースがノードＢ  ＮＢ内に存在しないことがある。それは、レートが高すぎる場合に、輻輳が生じ、ＵＥが最終的に送信を停止することにより、データ（例えばＴＣＰ／ＩＰ）が届かないためである。しかし、他のシナリオにおいて、高すぎるスケジューリング対象のレートにも関わらず、利用可能な復号リソースが存在し、復号が実行され得ることもある。これによる問題は、このＵＥが許容されるよりも多くのＵＬエアインタフェースセル干渉を引き起こし、それにより他のチャネルの検出が困難となり得ることである。そこで、オプションとして、ＥＵＬスケジューラは、復号リソースに通知し、及び許容されるより高い送信信号を破棄することをその処理部に命令し、最終的にＵＥが送信を停止することとなる。
【００９２】
本実施形態は、使用権違反の検知のための方法及び通信システム、並びに当該方法を可能とするシステムにおけるノードＢ及び無線ネットワークコントローラについてのものである。システム、並びに当該システムにおけるノードＢ及び無線ネットワークコントローラは、上記方法において記述されるような方法ステップを実行するように適合される。
【００９３】
ノードＢ  ＮＢは、少なくとも第１のユーザ端末ＵＥとの間の無線通信を可能とする少なくとも第１の基地局１１をさらに含む拡張ＵＬ通信システムにおける使用権違反の検知のために適合される。ノードＢは、さらに、第１のユーザ端末ＵＥが第１のＥ−ＤＣＨ上でアップリンクデータトラフィックを送信するスケジューリング対象のデータレートを検出する（１Ｂ）ように適合される。ノードＢを特に特徴付ける点は、検出されるスケジューリング対象のデータレートが第１のＥ−ＤＣＨチャネルのスケジューリング対象の使用権により定義される最大データレートよりも高い場合に、さらに制御を行うように適合される点である。ノードＢは、検出されるスケジューリング対象のデータレートが最大データレートよりも高い場合に、第１のＥ−ＤＣＨチャネルのスケジューリング対象の使用権を含む少なくとも第２の後続のダウンリンク送信を実行するように、さらに適合される。
【００９４】
上記拡張ＵＬ通信システムにおける無線ネットワークコントローラ（ＲＮＣ）は、使用権違反の検知のために適合される。少なくとも第１のＲＮＣは、第１のユーザ端末ＵＥから少なくとも第１の基地局へのあるデータレートを伴うアップリンクデータトラフィックを可能とする少なくとも第１の拡張ＵＬ転送チャネル（Ｅ−ＤＣＨ）の確立のために適合される。第１のＲＮＣを特に特徴付ける点は、ノードＢ  ＮＢによる開始後に第１のＲＮＣへ送信される失敗標識又は無線リンク再構成提案を受信するようにさらに適合される点である。
【００９５】
拡張アップリンク通信システムは、使用権違反の検知のために適合される。当該システムにおいて、少なくとも１つの第１の無線ネットワークコントローラＲＮＣは、第１のユーザ端末ＵＥから少なくとも第１の基地局へのあるデータレートを伴うアップリンクデータトラフィックを可能とする少なくとも第１の拡張ＵＬ転送チャネル（Ｅ−ＤＣＨ）を確立するように適合される。第１のユーザ端末は、受信される第１のＥ−ＤＣＨチャネルのスケジューリング対象の使用権から、第１のＥ−ＤＣＨを介するアップリンクデータトラフィックについてのスケジューリング対象のデータレートを算出するように適合される。第１のユーザ端末ＵＥは、さらに、算出されたスケジューリング対象のデータレートで第１のＥ−ＤＣＨ上のアップリンクデータトラフィックを送信するように適合される。上記システムにおけるノードＢ  ＮＢは、第１のユーザ端末が伝送を行うスケジューリング対象のデータレートを検出する。上記システムを特に特徴付ける点は、ノードＢが、検出されるスケジューリング対象のデータレートが第１のＥ−ＤＣＨチャネルのスケジューリング対象の使用権により定義される最大データレートよりも高い場合に制御を行うように適合される点である。検出されるスケジューリング対象のデータレートが最大データレートよりも高い場合には、ノードＢは、第１のＥ−ＤＣＨチャネルのスケジューリング対象の使用権を含む少なくとも第２の後続のダウンリンク送信を実行するようにさらに適合される。
【００９６】
本発明は、上述した実施形態により限定されるものではなく、添付の特許請求の範囲の技術的範囲内で自由に変更がなされ得る。
【図１】
2011501910.tif 000003
【図２】
2011501910.tif 000004
【図３】
2011501910.tif 000005
【図４】
2011501910.tif 000006
【図５】
2011501910.tif 000007
【図６】
2011501910.tif 000008
【図７】
2011501910.tif 000009
【図８】
2011501910.tif 000010
【図９】
2011501910.tif 000011
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
少なくとも１つの第１のユーザ端末（ＵＥ）との間の無線通信を可能とするための少なくとも１つの第１のノードＢ（ＮＢ）（１１）を備える拡張アップリンク（ＵＬ）通信システムにおける使用権違反の検知のための方法であって、
少なくとも１つの第１の無線ネットワークコントローラ（ＲＮＣ）（１２）は、前記第１のユーザ端末（ＵＥ）から少なくとも前記第１のノードＢ（ＮＢ）（１１）へのあるデータレートを伴うアップリンクデータトラフィックを可能とする少なくとも第１の拡張ＵＬ転送チャネル（Ｅ−ＤＣＨ）を確立し、前記第１のＥ−ＤＣＨは、少なくとも１つの無線アクセスベアラ（ＲＡＢ）についてのデータを搬送し、
実行される少なくとも第１のダウンリンク送信は、前記第１のユーザ端末（ＵＥ）に許可される第１のＥ−ＤＣＨチャネルのスケジューリング対象の使用権を含み、前記スケジューリング対象の使用権は、前記第１のＥ−ＤＣＨを介する前記アップリンクデータトラフィックについての最大データレート限度を定義し、
前記第１のユーザ端末（ＵＥ）は、受信される前記第１のＥ−ＤＣＨチャネルのスケジューリング対象の使用権から、前記第１のＥ−ＤＣＨを介する前記アップリンクデータトラフィックについてのスケジューリング対象のデータレートを算出し、
前記第１のユーザ端末（ＵＥ）は、算出された前記スケジューリング対象のデータレートで前記第１のＥ−ＤＣＨ上の前記アップリンクデータトラフィックを送信し、
ノードＢ（ＮＢ）は、前記第１のユーザ端末（ＵＥ）が伝送を行う前記スケジューリング対象のデータレートを検出し（１Ｂ）、
前記ノードＢ（ＮＢ）は、検出される前記スケジューリング対象のデータレートが前記第１のＥ−ＤＣＨチャネルのスケジューリング対象の使用権により定義される前記最大データレートよりも高い場合には、さらに制御を行い（２）、
検出される前記スケジューリング対象のデータレートが前記最大データレートよりも高い場合には（３）、前記ノードＢ（ＮＢ）は、前記第１のＥ−ＤＣＨチャネルのスケジューリング対象の使用権を含む少なくとも第２の後続のダウンリンク送信を実行する（４）ことと、
前記後続のダウンリンク送信は、前回の前記送信を上回る電力レベル（ｘ１，ｘ２，ｘ３…ｘｎ）で前記ノードＢ（ＮＢ）により行われることと、
を特徴とする、方法。
【請求項２】
前記第１のＲＮＣ（１２）は、第２のユーザ端末から前記第１のノードＢ（ＮＢ）（１１）又は第２のノードＢ（ＮＢ）へのあるデータレートを伴うアップリンクデータトラフィックを可能とする少なくとも１つの第２のＥ−ＤＣＨを確立する、請求項１に記載の方法。
【請求項３】
前記ノードＢ（ＮＢ）は、前記第２のユーザ端末に許可される第２のＥ−ＤＣＨチャネルのスケジューリング対象の使用権を含む第１の送信（１Ａ）を実行し、前記スケジューリング対象の使用権は、前記第２のＥ−ＤＣＨを介する前記アップリンクデータトラフィックについての最大データレート限度を定義する、請求項２に記載の方法。
【請求項４】
前記Ｅ−ＤＣＨ転送チャネルは、Ｅ−ＤＣＨ専用物理チャネル（Ｅ−ＤＰＤＣＨ）によりマッピングされる、先行する請求項のいずれかに記載の方法。
【請求項５】
前記ノードＢ（ＮＢ）は、前記第１のＥ−ＤＣＨ上の前記スケジューリング対象のデータレートを、前記アップリンクデータトラフィックのデータフレームを復号することにより検出する、請求項４に記載の方法。
【請求項６】
前記ノードＢ（ＮＢ）は、前記Ｅ−ＤＣＨ上の前記アップリンクデータトラフィックの前記スケジューリング対象のデータレートを、前記Ｅ−ＤＰＤＣＨ及び／又はＥ−ＤＣＨ転送フォーマットコンビネーション識別子（Ｅ−ＴＦＣＩ）を復号することにより検出し、Ｅ−ＤＰＤＣＨ及びＥ−ＴＦＣＩの１つ又は双方は、実効データレートを導くために使用される、請求項４〜５のいずれかに記載の方法。
【請求項７】
前記第２の後続の送信後に、前記スケジューリング対象のデータレートが前記最大データレートよりも高い（３，Ｙｅｓ）場合には、前記ノードＢ（ＮＢ）は、前記第１のＥ−ＤＣＨチャネルのスケジューリング対象の使用権を含む少なくとも第３の後続のダウンリンク送信を実行する（４）、先行する請求項のいずれかに記載の方法。
【請求項８】
前記第３の後続のダウンリンク送信の後、検出される前記スケジューリング対象のデータレートが前記最大データレート以下となるまで、前記第１のＥ−ＤＣＨチャネルのスケジューリング対象の使用権を含む少なくとも１つのさらなる後続のダウンリンク送信が続いて行われる（４）、請求項７に記載の方法。
【請求項９】
前記第３の後続のダウンリンク送信の後、後続のダウンリンク送信の回数が予め定義される値に到達するまで、少なくとも１つのさらなる後続のダウンリンク送信が続いて行われる（４）、請求項７〜８のいずれかに記載の方法。
【請求項１０】
前記ダウンリンク送信の後、前記電力レベルが閾値に到達するまで、前記第１のＥ−ＤＣＨチャネルのスケジューリング対象の使用権を含む少なくとも１つのさらなる後続のダウンリンク送信が続いて行われる（４（ｘ１），４（ｘ２））、先行する請求項のいずれかに記載の方法。
【請求項１１】
ノードＢ（ＮＢ）は、ダウンリンク送信の実行（１Ａ，４）後のある期間待機し（Ｂ）、当該期間の後、検出される前記スケジューリング対象のデータレートが前記第１のＥ−ＤＣＨチャネルのスケジューリング対象の使用権により定義される前記最大データレートよりも高い場合には、前記ノードＢ（ＮＢ）は、さらに制御を行う（２）、先行する請求項のいずれかに記載の方法。
【請求項１２】
予め定義される回数の後続のダウンリンク送信の後の、又は送信される前記電力レベルが閾値に到達した後の前記スケジューリング対象のデータレートが前記第１のＥ−ＤＣＨチャネルのスケジューリング対象の使用権により定義される前記最大データレートよりも依然として高い（５，Ｙｅｓ）場合には、前記ノードＢ（ＮＢ）は、前記第１のＲＮＣ（１２）への失敗標識の送信又は無線リンク再構成提案の送信を開始する（６）、先行する請求項のいずれかに記載の方法。
【請求項１３】
前記第１のＲＮＣ（１２）は：
前記失敗標識（６ａ（１））又は前記無線リンク再構成提案（６ｄ（１））を受信した場合に、前記第１のＥ−ＤＣＨから第１の専用チャネル（ＤＣＨ）へ前記少なくとも１つのＲＡＢを再構成することを決定し、
前記第１のＲＮＣ（１２）は、前記第１のＥ−ＤＣＨから前記第１のＤＣＨへの切り替えの指示を伴う再構成制御信号を、前記ノードＢ（ＮＢ）（６ａ（３），６ｄ（３））及び前記ユーザ端末（ＵＥ）（６ａ（２），６ｄ（２））へ少なくとも送信することにより、再構成を行う、
請求項１２に記載の方法。
【請求項１４】
前記第１のＲＮＣ（１２）は：
前記失敗標識を受信した場合（６ｂ（１））に、前記第１のＥ−ＤＣＨから第１の転送アクセスチャネル（ＦＡＣＨ）へ前記少なくとも１つのＲＡＢを再構成することを決定し、
前記第１のＲＮＣ（１２）は、前記第１のＥ−ＤＣＨから前記第１のＦＡＣＨへの切り替えの指示を伴う再構成制御信号を、前記ノードＢ（ＮＢ）（６ｂ（３））及び前記ユーザ端末（ＵＥ）（６ｂ（２））へ少なくとも送信することにより、再構成を行う、
請求項１２に記載の方法。
【請求項１５】
前記第１のＲＮＣ（１２）は、前記失敗標識を受信した場合（６ｃ（１））に、前記第１のＥ−ＤＣＨを解放することを決定し、
前記第１のＲＮＣ（１２）は、前記第１のＥ−ＤＣＨの解放の指示を伴う解放制御信号を、前記ノードＢ（ＮＢ）（６ｃ（３））及び前記ユーザ端末（ＵＥ）（６ｃ（２））へ少なくとも送信することにより、解放を行う、
請求項１２に記載の方法。
【請求項１６】
前記Ｅ−ＤＣＨチャネルの使用権は、拡張絶対的使用権チャネル（Ｅ−ＡＧＣＨ）及び拡張相対的使用権チャネル（Ｅ−ＲＧＣＨ）という少なくとも２つの物理チャネルに対応する、先行する請求項のいずれかに記載の方法。
【請求項１７】
前記Ｅ−ＡＧＣＨは、前記第１のノードＢ（ＮＢ）により生成されるサービングセルを介して伝送され、前記Ｅ−ＡＧＣＨは、前記サービングセル又は少なくとも第２のノードＢ（ＮＢ）により生成される少なくとも１つの非サービングセルを介して伝送される、請求項１６に記載の方法。
【請求項１８】
前記第１のＲＮＣ（１２）は、前記第１のＥ−ＤＣＨの確立の前に、ＲＬセットアップ又は再構成の間、前記第１のユーザ端末（ＵＥ）に許可される前記第１のＥ−ＤＣＨチャネルのスケジューリング対象の使用権を含む第１のダウンリンク送信をさらに実行する、先行する請求項のいずれかに記載の方法。
【請求項１９】
前記ノードＢ（ＮＢ）は、拡張ＵＬスケジューラ（ＥＵＬ−Ｓ）を備え、前記第１のユーザ端末（ＵＥ）に許可される前記第１のＥ−ＤＣＨチャネルのスケジューリング対象の使用権を含む第１のダウンリンク送信を実行する（１Ａ）、先行する請求項のいずれかに記載の方法。
【請求項２０】
少なくとも１つの第１のユーザ端末（ＵＥ）との間の無線通信を可能とするための少なくとも１つの第１のノードＢ（ＮＢ）（１１）を備える拡張ＵＬ通信システムにおける使用権違反の検知のために適合されるノードＢ（ＮＢ）であって、
前記第１のユーザ端末（ＵＥ）から少なくとも前記第１のノードＢ（ＮＢ）（１１）へのあるデータレートを伴うアップリンクデータトラフィックを可能とする少なくとも第１の拡張ＵＬ転送チャネル（Ｅ−ＤＣＨ）が確立され、前記第１のＥ−ＤＣＨは、少なくとも１つの無線アクセスベアラ（ＲＡＢ）についてのデータを搬送し、
実行される少なくとも第１のダウンリンク送信は、前記第１のユーザ端末（ＵＥ）に許可される第１のＥ−ＤＣＨチャネルのスケジューリング対象の使用権を含み、前記スケジューリング対象の使用権は、前記第１のＥ−ＤＣＨを介する前記アップリンクデータトラフィックについての最大データレート限度を定義し、
前記ノードＢ（ＮＢ）は、前記第１のユーザ端末（ＵＥ）が前記第１のＥ−ＤＣＨ上でアップリンクデータトラフィックを送信する前記スケジューリング対象のデータレートを検出する（１Ｂ）ようにさらに適合され、
前記ノードＢ（ＮＢ）は、検出される前記スケジューリング対象のデータレートが前記第１のＥ−ＤＣＨチャネルのスケジューリング対象の使用権により定義される前記最大データレートよりも高い場合に、制御を行う（２）ようにさらに適合され、
検出される前記スケジューリング対象のデータレートが前記最大データレートよりも高い場合には（３）、前記ノードＢ（ＮＢ）は、前記第１のＥ−ＤＣＨチャネルのスケジューリング対象の使用権を含む少なくとも第２の後続のダウンリンク送信を実行する（４）ようにさらに適合されることと、
ノードＢ（ＮＢ）は、前回の前記送信を上回る電力レベル（ｘ１，ｘ２，ｘ３…ｘｎ）で前記後続のダウンリンク送信を行うようにさらに適合されることと、
を特徴とする、ノードＢ（ＮＢ）。
【請求項２１】
前記第２の後続の送信後に、前記スケジューリング対象のデータレートが前記最大データレートよりも高い（３，Ｙｅｓ）場合には、前記ノードＢ（ＮＢ）は、前記第１のＥ−ＤＣＨチャネルのスケジューリング対象の使用権を含む少なくとも第３の後続のダウンリンク送信を実行する（４）ようにさらに適合される、請求項２０に記載のノードＢ（ＮＢ）。
【請求項２２】
ノードＢ（ＮＢ）は、ダウンリンク送信の実行（１Ａ，４）後のある期間待機し（Ｂ）、当該期間の後、検出される前記スケジューリング対象のデータレートが前記第１のＥ−ＤＣＨチャネルのスケジューリング対象の使用権により定義される前記最大データレートよりも高い場合には、前記ノードＢ（ＮＢ）は、さらに制御を行う（２）ようにさらに適合される、請求項２０〜２１のいずれかに記載のノードＢ（ＮＢ）。
【請求項２３】
予め定義される回数の後続のダウンリンク送信の後の、又は送信される前記電力レベルが閾値に到達した後の前記スケジューリング対象のデータレートが前記第１のＥ−ＤＣＨチャネルのスケジューリング対象の使用権により定義される前記最大データレートよりも依然として高い（５，Ｙｅｓ）場合には、前記ノードＢ（ＮＢ）は、第１の無線ネットワークコントローラ（ＲＮＣ）（１２）への失敗標識の送信又は無線リンク再構成提案の送信を開始する（６）ようにさらに適合される、請求項２０〜２２のいずれかに記載のノードＢ（ＮＢ）。
【請求項２４】
前記第１のＥ−ＤＣＨチャネルのスケジューリング対象の使用権は、前記第１のＥ−ＤＣＨの確立の前において、ＲＬセットアップ又は再構成の間に前記第１のユーザ端末（ＵＥ）に送信される第１のダウンリンク送信信号内に含まれる、請求項２０〜２３のいずれかに記載のノードＢ（ＮＢ）。
【請求項２５】
前記ノードＢ（ＮＢ）は、拡張ＵＬスケジューラ（ＥＵＬ−Ｓ）を備え、前記第１のユーザ端末（ＵＥ）に許可される前記第１のＥ−ＤＣＨチャネルのスケジューリング対象の使用権を含む第１のダウンリンク送信を実行する（１Ａ）ようにさらに適合される、請求項２０〜２４のいずれかに記載のノードＢ（ＮＢ）。
【請求項２６】
使用権違反の検知のためのために適合される拡張ＵＬ通信システムにおける第１の無線ネットワークコントローラ（ＲＮＣ）（１２）であって、
前記システムは、少なくとも１つの第１のユーザ端末（ＵＥ）との間の無線通信を可能とするための少なくとも１つの第１のノードＢ（ＮＢ）（１１）をさらに備え、
少なくとも１つの前記第１のＲＮＣ（１２）は、前記第１のユーザ端末（ＵＥ）から少なくとも前記第１のノードＢ（ＮＢ）（１１）へのあるデータレートを伴うアップリンクデータトラフィックを可能とする少なくとも第１の拡張ＵＬ転送チャネル（Ｅ−ＤＣＨ）を確立するために構成され、前記第１のＥ−ＤＣＨは、少なくとも１つの無線アクセスベアラ（ＲＡＢ）についてのデータを搬送し、
実行される少なくとも第１のダウンリンク送信は、前記第１のユーザ端末（ＵＥ）に許可される第１のＥ−ＤＣＨチャネルのスケジューリング対象の使用権を含み、前記スケジューリング対象の使用権は、前記第１のＥ−ＤＣＨを介する前記アップリンクデータトラフィックについての最大データレート限度を定義し、
前記第１のＲＮＣ（１２）は、ノードＢ（ＮＢ）による開始後に前記第１のＲＮＣ（１２）へ送信（６ａ（１），６ｂ（１），６ｃ（１），６ｄ（１））される失敗標識又は無線リンク再構成提案を受信するようにさらに適合され、
前記第１のＲＮＣ（１２）は、少なくとも失敗標識（６ａ（１））を受信した場合に、前記少なくとも１つのＲＡＢを再構成することを決定するようにさらに適合されることを特徴とする、
第１の無線ネットワークコントローラ（ＲＮＣ）（１２）。
【請求項２７】
前記第１のＲＮＣ（１２）は、前記第１（１）又は第２のユーザ端末から前記第１のノードＢ（ＮＢ）（１１）又は第２のノードＢ（ＮＢ）へのあるデータレートを伴うアップリンクデータトラフィックを可能とする少なくとも１つの第２のＥ−ＤＣＨの確立のために適合される、請求項２６に記載の第１のＲＮＣ（１２）。
【請求項２８】
前記第１のＲＮＣ（１２）は、前記失敗標識（６ａ（１））又は前記無線リンク再構成提案（６ｄ（１））を受信した場合に、前記第１のＥ−ＤＣＨから第１の専用チャネル（ＤＣＨ）へ前記少なくとも１つのＲＡＢを再構成することを決定するようにさらに適合され、
前記第１のＲＮＣ（１２）は、前記第１のＥ−ＤＣＨから前記第１のＤＣＨへの切り替えの指示を伴う再構成制御信号を、前記ノードＢ（ＮＢ）（６ａ（３），６ｄ（３））及び前記ユーザ端末（ＵＥ）（６ａ（２），６ｄ（２））へ少なくとも送信することにより、再構成を行う、
請求項２６〜２７のいずれかに記載の第１のＲＮＣ（１２）。
【請求項２９】
前記第１のＲＮＣ（１２）は、前記失敗標識を受信した場合（６ｂ（１））に、前記第１のＥ−ＤＣＨから第１の転送アクセスチャネル（ＦＡＣＨ）へ前記少なくとも１つのＲＡＢを再構成することを決定するようにさらに適合され、
前記第１のＲＮＣ（１２）は、前記第１のＥ−ＤＣＨから前記第１のＦＡＣＨへの切り替えの指示を伴う再構成制御信号を、前記ノードＢ（ＮＢ）（６ｂ（３））及び前記ユーザ端末（ＵＥ）（６ｂ（２））へ少なくとも送信することにより、再構成を行う、
請求項２６〜２７のいずれかに記載の第１のＲＮＣ（１２）。
【請求項３０】
前記第１のＲＮＣ（１２）は、前記失敗標識を受信した場合（６ｃ（１））に、前記第１のＥ−ＤＣＨを解放することを決定するようにさらに適合され、
前記第１のＲＮＣ（１２）は、前記第１のＥ−ＤＣＨの解放の指示を伴う解放制御信号を、前記ノードＢ（ＮＢ）（６ｃ（３））及び前記ユーザ端末（ＵＥ）（６ｃ（２））へ少なくとも送信することにより、解放を行う、
請求項２６〜２７のいずれかに記載の第１のＲＮＣ（１２）。
【請求項３１】
前記第１のＲＮＣ（１２）は、前記第１のＥ−ＤＣＨの確立の前に、ＲＬセットアップ又は再構成の間、前記第１のユーザ端末（ＵＥ）に許可される前記第１のＥ−ＤＣＨチャネルのスケジューリング対象の使用権を含む第１のダウンリンク送信を実行するようにさらに適合される、請求項２６〜３０のいずれかに記載の第１のＲＮＣ（１２）。
【請求項３２】
使用権違反の検知のためのために適合される拡張アップリンク通信システムであって、前記システムは、少なくとも１つの第１のユーザ端末（ＵＥ）との間の無線通信を可能とするための少なくとも１つの第１のノードＢ（ＮＢ）（１１）を含み、
前記システムは、前記第１のユーザ端末（ＵＥ）から少なくとも前記第１のノードＢ（ＮＢ）（１１）へのあるデータレートを伴うアップリンクデータトラフィックを可能とする少なくとも第１の拡張ＵＬ転送チャネル（Ｅ−ＤＣＨ）を確立するように適合される少なくとも１つの第１の無線ネットワークコントローラ（ＲＮＣ）（１２）、をさらに含み、
前記第１のＥ−ＤＣＨは、少なくとも１つの無線アクセスベアラ（ＲＡＢ）についてのデータを搬送し、
実行される少なくとも第１のダウンリンク送信は、前記第１のユーザ端末（ＵＥ）に許可される第１のＥ−ＤＣＨチャネルのスケジューリング対象の使用権を含み、前記スケジューリング対象の使用権は、前記第１のＥ−ＤＣＨを介する前記アップリンクデータトラフィックについての最大データレート限度を定義し、
前記第１のユーザ端末（ＵＥ）は、受信される前記第１のＥ−ＤＣＨチャネルのスケジューリング対象の使用権から、前記第１のＥ−ＤＣＨを介する前記アップリンクデータトラフィックについてのスケジューリング対象のデータレートを算出するように適合され、
前記第１のユーザ端末（ＵＥ）は、算出された前記スケジューリング対象のデータレートで前記第１のＥ−ＤＣＨ上の前記アップリンクデータトラフィックを送信するようにさらに適合され、
前記ノードＢ（ＮＢ）は、前記第１のユーザ端末（ＵＥ）が伝送を行う前記スケジューリング対象のデータレートを検出する（１Ｂ）ようにさらに適合され、
前記ノードＢ（ＮＢ）は、検出される前記スケジューリング対象のデータレートが前記第１のＥ−ＤＣＨチャネルのスケジューリング対象の使用権により定義される前記最大データレートよりも高い場合には、制御を行う（２）ようにさらに適合され、
前記ノードＢ（ＮＢ）は、検出される前記スケジューリング対象のデータレートが前記最大データレートよりも高い場合には（３）、前記第１のＥ−ＤＣＨチャネルのスケジューリング対象の使用権を含む少なくとも第２の後続のダウンリンク送信を実行する（４）ようにさらに適合されることと、
ノードＢは、前回の前記送信を上回る電力レベル（ｘ１，ｘ２，ｘ３…ｘｎ）で前記後続のダウンリンク送信を行なうようにさらに適合されることと、
を特徴とする、システム。
【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
少なくとも１つの第１のユーザ端末（ＵＥ）との間の無線通信を可能とするための少なくとも１つのノードＢ（ＮＢ）（１１）を備える拡張アップリンク（ＵＬ）通信システムにおける使用権違反の検知のための方法であって、
少なくとも１つの第１の無線ネットワークコントローラ（ＲＮＣ）（１２）は、前記第１のユーザ端末（ＵＥ）から少なくとも前記ノードＢ（ＮＢ）（１１）へのあるデータレートを伴うアップリンクデータトラフィックを可能とする少なくとも第１の拡張ＵＬ転送チャネル（Ｅ−ＤＣＨ）を確立し、前記第１のＥ−ＤＣＨは、少なくとも１つの無線アクセスベアラ（ＲＡＢ）についてのデータを搬送し、
実行される少なくとも第１のダウンリンク送信は、前記第１のユーザ端末（ＵＥ）に許可される第１のＥ−ＤＣＨチャネルのスケジューリング対象の使用権を含み、前記スケジューリング対象の使用権は、前記第１のＥ−ＤＣＨを介する前記アップリンクデータトラフィックについての最大データレート限度を定義し、
前記第１のユーザ端末（ＵＥ）は、受信される前記第１のＥ−ＤＣＨチャネルのスケジューリング対象の使用権から、前記第１のＥ−ＤＣＨを介する前記アップリンクデータトラフィックについてのスケジューリング対象のデータレートを算出し、
前記第１のユーザ端末（ＵＥ）は、算出された前記スケジューリング対象のデータレートで前記第１のＥ−ＤＣＨ上の前記アップリンクデータトラフィックを送信し、
前記ノードＢ（ＮＢ）は、前記第１のユーザ端末（ＵＥ）が伝送を行う前記スケジューリング対象のデータレートを検出し（１Ｂ）、
前記ノードＢ（ＮＢ）は、検出される前記スケジューリング対象のデータレートが前記第１のＥ−ＤＣＨチャネルのスケジューリング対象の使用権により定義される前記最大データレートよりも高い場合には、さらに制御を行い（２）、
検出される前記スケジューリング対象のデータレートが前記最大データレートよりも高い場合には（３）、前記ノードＢ（ＮＢ）は、前記第１のＥ−ＤＣＨチャネルのスケジューリング対象の使用権を含む少なくとも第２の後続のダウンリンク送信を実行する（４）ことと、
前記後続のダウンリンク送信は、前回の前記送信を上回る電力レベル（ｘ１，ｘ２，ｘ３…ｘｎ）で前記ノードＢ（ＮＢ）により行われることと、
を特徴とする、方法。
【請求項２】
前記第２の後続の送信後に、前記スケジューリング対象のデータレートが前記最大データレートよりも高い（３，Ｙｅｓ）場合には、前記ノードＢ（ＮＢ）は、前記第１のＥ−ＤＣＨチャネルのスケジューリング対象の使用権を含む少なくとも第３の後続のダウンリンク送信を実行する（４）、請求項１に記載の方法。
【請求項３】
前記第３の後続のダウンリンク送信の後、検出される前記スケジューリング対象のデータレートが前記最大データレート以下となるまで、前記第１のＥ−ＤＣＨチャネルのスケジューリング対象の使用権を含む少なくとも１つのさらなる後続のダウンリンク送信が続いて行われる（４）、請求項２に記載の方法。
【請求項４】
前記第３の後続のダウンリンク送信の後、後続のダウンリンク送信の回数が予め定義される値に到達するまで、少なくとも１つのさらなる後続のダウンリンク送信が続いて行われる（４）、請求項２〜３のいずれかに記載の方法。
【請求項５】
前記ダウンリンク送信の後、前記電力レベルが閾値に到達するまで、前記第１のＥ−ＤＣＨチャネルのスケジューリング対象の使用権を含む少なくとも１つのさらなる後続のダウンリンク送信が続いて行われる（４（ｘ１），４（ｘ２））、先行する請求項のいずれかに記載の方法。
【請求項６】
前記ノードＢ（ＮＢ）は、ダウンリンク送信の実行（１Ａ，４）後のある期間待機し（Ｂ）、当該期間の後、検出される前記スケジューリング対象のデータレートが前記第１のＥ−ＤＣＨチャネルのスケジューリング対象の使用権により定義される前記最大データレートよりも高い場合には、前記ノードＢ（ＮＢ）は、さらに制御を行う（２）、先行する請求項のいずれかに記載の方法。
【請求項７】
予め定義される回数の後続のダウンリンク送信の後の、又は送信される前記電力レベルが閾値に到達した後の前記スケジューリング対象のデータレートが前記第１のＥ−ＤＣＨチャネルのスケジューリング対象の使用権により定義される前記最大データレートよりも依然として高い（５，Ｙｅｓ）場合には、前記ノードＢ（ＮＢ）は、前記第１のＲＮＣ（１２）への失敗標識の送信又は無線リンク再構成提案の送信を開始する（６）、先行する請求項のいずれかに記載の方法。
【請求項８】
前記第１のＲＮＣ（１２）は：
前記失敗標識（６ａ（１））又は前記無線リンク再構成提案（６ｄ（１））を受信した場合に、前記第１のＥ−ＤＣＨから第１の専用チャネル（ＤＣＨ）へ前記少なくとも１つのＲＡＢを再構成することを決定し、
前記第１のＲＮＣ（１２）は、前記第１のＥ−ＤＣＨから前記第１のＤＣＨへの切り替えの指示を伴う再構成制御信号を、前記ノードＢ（ＮＢ）（６ａ（３），６ｄ（３））及び前記ユーザ端末（ＵＥ）（６ａ（２），６ｄ（２））へ少なくとも送信することにより、再構成を行う、
請求項７に記載の方法。
【請求項９】
前記第１のＲＮＣ（１２）は：
前記失敗標識を受信した場合（６ｂ（１））に、前記第１のＥ−ＤＣＨから第１の転送アクセスチャネル（ＦＡＣＨ）へ前記少なくとも１つのＲＡＢを再構成することを決定し、
前記第１のＲＮＣ（１２）は、前記第１のＥ−ＤＣＨから前記第１のＦＡＣＨへの切り替えの指示を伴う再構成制御信号を、前記ノードＢ（ＮＢ）（６ｂ（３））及び前記ユーザ端末（ＵＥ）（６ｂ（２））へ少なくとも送信することにより、再構成を行う、
請求項７に記載の方法。
【請求項１０】
前記第１のＲＮＣ（１２）は、前記失敗標識を受信した場合（６ｃ（１））に、前記第１のＥ−ＤＣＨを解放することを決定し、
前記第１のＲＮＣ（１２）は、前記第１のＥ−ＤＣＨの解放の指示を伴う解放制御信号を、前記ノードＢ（ＮＢ）（６ｃ（３））及び前記ユーザ端末（ＵＥ）（６ｃ（２））へ少なくとも送信することにより、解放を行う、
請求項７に記載の方法。
【請求項１１】
少なくとも１つの第１のユーザ端末（ＵＥ）との間の無線通信を可能とするための少なくとも１つのノードＢ（ＮＢ）（１１）を備える拡張ＵＬ通信システムにおける使用権違反の検知のために適合されるノードＢ（ＮＢ）であって、
前記第１のユーザ端末（ＵＥ）から前記ノードＢ（ＮＢ）（１１）へのあるデータレートを伴うアップリンクデータトラフィックを可能とする少なくとも第１の拡張ＵＬ転送チャネル（Ｅ−ＤＣＨ）が確立され、前記第１のＥ−ＤＣＨは、少なくとも１つの無線アクセスベアラ（ＲＡＢ）についてのデータを搬送し、
実行される少なくとも第１のダウンリンク送信は、前記第１のユーザ端末（ＵＥ）に許可される第１のＥ−ＤＣＨチャネルのスケジューリング対象の使用権を含み、前記スケジューリング対象の使用権は、前記第１のＥ−ＤＣＨを介する前記アップリンクデータトラフィックについての最大データレート限度を定義し、
前記ノードＢ（ＮＢ）は、前記第１のユーザ端末（ＵＥ）が前記第１のＥ−ＤＣＨ上でアップリンクデータトラフィックを送信する前記スケジューリング対象のデータレートを検出する（１Ｂ）ようにさらに適合され、
前記ノードＢ（ＮＢ）は、検出される前記スケジューリング対象のデータレートが前記第１のＥ−ＤＣＨチャネルのスケジューリング対象の使用権により定義される前記最大データレートよりも高い場合に、制御を行う（２）ようにさらに適合され、
検出される前記スケジューリング対象のデータレートが前記最大データレートよりも高い場合には（３）、前記ノードＢ（ＮＢ）は、前記第１のＥ−ＤＣＨチャネルのスケジューリング対象の使用権を含む少なくとも第２の後続のダウンリンク送信を実行する（４）ようにさらに適合されることと、
前記ノードＢ（ＮＢ）は、前回の前記送信を上回る電力レベル（ｘ１，ｘ２，ｘ３…ｘｎ）で前記後続のダウンリンク送信を行うようにさらに適合されることと、
を特徴とする、ノードＢ（ＮＢ）。
【請求項１２】
前記第２の後続の送信後に、前記スケジューリング対象のデータレートが前記最大データレートよりも高い（３，Ｙｅｓ）場合には、前記ノードＢ（ＮＢ）は、前記第１のＥ−ＤＣＨチャネルのスケジューリング対象の使用権を含む少なくとも第３の後続のダウンリンク送信を実行する（４）ようにさらに適合される、請求項１１に記載のノードＢ（ＮＢ）。
【請求項１３】
前記ノードＢ（ＮＢ）は、ダウンリンク送信の実行（１Ａ，４）後のある期間待機し（Ｂ）、当該期間の後、検出される前記スケジューリング対象のデータレートが前記第１のＥ−ＤＣＨチャネルのスケジューリング対象の使用権により定義される前記最大データレートよりも高い場合には、前記ノードＢ（ＮＢ）は、さらに制御を行う（２）ようにさらに適合される、請求項１１〜１２のいずれかに記載のノードＢ（ＮＢ）。
【請求項１４】
予め定義される回数の後続のダウンリンク送信の後の、又は送信される前記電力レベルが閾値に到達した後の前記スケジューリング対象のデータレートが前記第１のＥ−ＤＣＨチャネルのスケジューリング対象の使用権により定義される前記最大データレートよりも依然として高い（５，Ｙｅｓ）場合には、前記ノードＢ（ＮＢ）は、第１の無線ネットワークコントローラ（ＲＮＣ）（１２）への失敗標識の送信又は無線リンク再構成提案の送信を開始する（６）ようにさらに適合される、請求項１１〜１３のいずれかに記載のノードＢ（ＮＢ）。
【請求項１５】
使用権違反の検知のためのために適合される拡張ＵＬ通信システムにおける第１の無線ネットワークコントローラ（ＲＮＣ）（１２）であって、
前記システムは、少なくとも１つの第１のユーザ端末（ＵＥ）との間の無線通信を可能とするための少なくとも１つのノードＢ（ＮＢ）（１１）をさらに備え、
少なくとも１つの前記第１のＲＮＣ（１２）は、前記第１のユーザ端末（ＵＥ）から少なくとも前記ノードＢ（ＮＢ）（１１）へのあるデータレートを伴うアップリンクデータトラフィックを可能とする少なくとも第１の拡張ＵＬ転送チャネル（Ｅ−ＤＣＨ）を確立するために構成され、前記第１のＥ−ＤＣＨは、少なくとも１つの無線アクセスベアラ（ＲＡＢ）についてのデータを搬送し、
実行される少なくとも第１のダウンリンク送信は、前記第１のユーザ端末（ＵＥ）に許可される第１のＥ−ＤＣＨチャネルのスケジューリング対象の使用権を含み、前記スケジューリング対象の使用権は、前記第１のＥ−ＤＣＨを介する前記アップリンクデータトラフィックについての最大データレート限度を定義し、
前記第１のＲＮＣ（１２）は、ノードＢ（ＮＢ）による開始後に前記第１のＲＮＣ（１２）へ送信（６ａ（１），６ｂ（１），６ｃ（１），６ｄ（１））される失敗標識又は無線リンク再構成提案を受信するようにさらに適合され、
前記第１のＲＮＣ（１２）は、少なくとも失敗標識（６ａ（１））を受信した場合に、前記少なくとも１つのＲＡＢを再構成することを決定するようにさらに適合されることを特徴とする、
第１の無線ネットワークコントローラ（ＲＮＣ）（１２）。
【請求項１６】
前記第１のＲＮＣ（１２）は、前記失敗標識（６ａ（１））又は前記無線リンク再構成提案（６ｄ（１））を受信した場合に、前記第１のＥ−ＤＣＨから第１の専用チャネル（ＤＣＨ）へ前記少なくとも１つのＲＡＢを再構成することを決定するようにさらに適合され、
前記第１のＲＮＣ（１２）は、前記第１のＥ−ＤＣＨから前記第１のＤＣＨへの切り替えの指示を伴う再構成制御信号を、前記ノードＢ（ＮＢ）（６ａ（３），６ｄ（３））及び前記ユーザ端末（ＵＥ）（６ａ（２），６ｄ（２））へ少なくとも送信することにより、再構成を行う、
請求項１５に記載の第１のＲＮＣ（１２）。
【請求項１７】
前記第１のＲＮＣ（１２）は、前記失敗標識を受信した場合（６ｂ（１））に、前記第１のＥ−ＤＣＨから第１の転送アクセスチャネル（ＦＡＣＨ）へ前記少なくとも１つのＲＡＢを再構成することを決定するようにさらに適合され、
前記第１のＲＮＣ（１２）は、前記第１のＥ−ＤＣＨから前記第１のＦＡＣＨへの切り替えの指示を伴う再構成制御信号を、前記ノードＢ（ＮＢ）（６ｂ（３））及び前記ユーザ端末（ＵＥ）（６ｂ（２））へ少なくとも送信することにより、再構成を行う、
請求項１５に記載の第１のＲＮＣ（１２）。
【請求項１８】
前記第１のＲＮＣ（１２）は、前記失敗標識を受信した場合（６ｃ（１））に、前記第１のＥ−ＤＣＨを解放することを決定するようにさらに適合され、
前記第１のＲＮＣ（１２）は、前記第１のＥ−ＤＣＨの解放の指示を伴う解放制御信号を、前記ノードＢ（ＮＢ）（６ｃ（３））及び前記ユーザ端末（ＵＥ）（６ｃ（２））へ少なくとも送信することにより、解放を行う、
請求項１５に記載の第１のＲＮＣ（１２）。
【請求項１９】
使用権違反の検知のためのために適合される拡張アップリンク通信システムであって、前記システムは、少なくとも１つの第１のユーザ端末（ＵＥ）との間の無線通信を可能とするための少なくとも１つのノードＢ（ＮＢ）（１１）を含み、
前記システムは、前記第１のユーザ端末（ＵＥ）から少なくとも前記ノードＢ（ＮＢ）（１１）へのあるデータレートを伴うアップリンクデータトラフィックを可能とする少なくとも第１の拡張ＵＬ転送チャネル（Ｅ−ＤＣＨ）を確立するように適合される少なくとも１つの第１の無線ネットワークコントローラ（ＲＮＣ）（１２）、をさらに含み、
前記第１のＥ−ＤＣＨは、少なくとも１つの無線アクセスベアラ（ＲＡＢ）についてのデータを搬送し、
実行される少なくとも第１のダウンリンク送信は、前記第１のユーザ端末（ＵＥ）に許可される第１のＥ−ＤＣＨチャネルのスケジューリング対象の使用権を含み、前記スケジューリング対象の使用権は、前記第１のＥ−ＤＣＨを介する前記アップリンクデータトラフィックについての最大データレート限度を定義し、
前記第１のユーザ端末（ＵＥ）は、受信される前記第１のＥ−ＤＣＨチャネルのスケジューリング対象の使用権から、前記第１のＥ−ＤＣＨを介する前記アップリンクデータトラフィックについてのスケジューリング対象のデータレートを算出するように適合され、
前記第１のユーザ端末（ＵＥ）は、算出された前記スケジューリング対象のデータレートで前記第１のＥ−ＤＣＨ上の前記アップリンクデータトラフィックを送信するようにさらに適合され、
前記ノードＢ（ＮＢ）は、前記第１のユーザ端末（ＵＥ）が伝送を行う前記スケジューリング対象のデータレートを検出する（１Ｂ）ようにさらに適合され、
前記ノードＢ（ＮＢ）は、検出される前記スケジューリング対象のデータレートが前記第１のＥ−ＤＣＨチャネルのスケジューリング対象の使用権により定義される前記最大データレートよりも高い場合には、制御を行う（２）ようにさらに適合され、
前記ノードＢ（ＮＢ）は、検出される前記スケジューリング対象のデータレートが前記最大データレートよりも高い場合には（３）、前記第１のＥ−ＤＣＨチャネルのスケジューリング対象の使用権を含む少なくとも第２の後続のダウンリンク送信を実行する（４）ようにさらに適合されることと、
前記ノードＢは、前回の前記送信を上回る電力レベル（ｘ１，ｘ２，ｘ３…ｘｎ）で前記後続のダウンリンク送信を行なうようにさらに適合されることと、
を特徴とする、システム。
【手続補正２】
【補正対象書類名】明細書
【補正対象項目名】００５４
【補正方法】変更
【補正の内容】
【００５４】
本発明は、ＨＳＵＰＡシステムに相当する拡張アップリンク（ＵＬ）通信システムにおける使用権違反の検知のための方法に関する。ＨＳＵＰＡシステムは、第１の又はより多くのユーザ端末ＵＥとの間の無線通信を可能とする少なくとも１つの第１の基地局１１を含む。システムは、さらに、後に説明する対応するシステムを伴う第２の基地局１０をさらに含む。
【手続補正３】
【補正対象書類名】明細書
【補正対象項目名】００８３
【補正方法】変更
【補正の内容】
【００８３】
以下の文章において、ノードＢ（ＮＢ）１１又はノードＢ（ＮＢ２）１０は、第１のＲＮＣ１２のみとコンタクトする。第２のＲＮＣ（１３）は透過的であり、情報を転送するのみである。
【国際調査報告】
2011501910.tif 000012
2011501910.tif 000013